(57)【要約】【課題】  近距離無線通信機能を持つ複数の機器間の無線接続に関し、接続先の機器に優先付けを付して接続先を選択し、各機器が持つ機能の利用性を向上させる。【解決手段】  近距離無線通信機能を備える電子機器（携帯電話機４）であって、近距離無線通信機能を備える１又は複数の機器（機器６１〜６Ｎ）と近距離無線信号の送受信をする通信部（近距離無線通信部１０）と、前記複数の機器に優先度を付与し、該優先度により仕分けされた１又は複数の機器を表す優先付リストを登録する登録部（データベース１８）と、前記優先付リストに基づいて、１又は複数の機器を動的に選択し、選択された１又は複数の機器と前記通信部を通じて接続制御させる制御部（プロセッサ８）とを含む構成である。【選択図】        図１
2006319946.tif 000002
【特許請求の範囲】
【請求項１】
近距離無線通信機能を備える電子機器であって、
近距離無線通信機能を備える１又は複数の機器と近距離無線信号の送受信をする通信部と、
前記複数の機器に優先度を付与し、該優先度により仕分けされた１又は複数の機器を表す優先付リストを登録する登録部と、
前記優先付リストに基づいて、１又は複数の機器を動的に選択し、選択された１又は複数の機器と前記通信部を通じて接続制御させる制御部と、
を含むことを特徴とする電子機器。
【請求項２】
請求項１に記載の電子機器において、
前記制御部は、前記登録部に登録された機器から、接続することで得られる近距離無線信号の受信信号レベルにより、接続先の機器を選択し、選択された１又は複数の機器と前記通信部を通じて自動接続させる構成としたことを特徴とする電子機器。
【請求項３】
請求項１に記載の電子機器において、
前記登録部に登録される前記機器が携帯電話機の場合、前記制御部は、基地局との通信接続により得られる受信信号レベルに応じて、前記電子機器から接続先として１又は複数の携帯電話機を選択し、該携帯電話機に前記通信部を通じて自動接続させる構成としたことを特徴とする電子機器。
【請求項４】
請求項１に記載の電子機器において、
前記登録部に登録される前記機器が携帯電話機の場合、前記制御部は、その携帯電話機の電池残量に応じて、前記電子機器から接続先として１又は複数の携帯電話機を選択し、該携帯電話機に前記通信部を通じて自動接続させる構成としたことを特徴とする電子機器。
【請求項５】
請求項１に記載の電子機器において、
前記登録部に登録される前記機器が携帯電話機の場合、前記制御部は、その携帯電話機の通話状態に応じて、前記電子機器から接続先として１又は複数の携帯電話機を選択し、該携帯電話機に前記通信部を通じて自動接続させる構成としたことを特徴とする電子機器。
【請求項６】
請求項１記載の電子機器において、
前記優先付リストに、前記電子機器の移動先である１又は複数の位置情報とともに、各位置情報毎に優先度が付与された１又は複数の機器を登録し、該優先付リストから検索された１又は複数の機器を選択し、選択された１又は複数の機器に前記通信部を通じて自動接続させる構成としたことを特徴とする電子機器。
【請求項７】
近距離無線通信機能を備える電子機器であって、
近距離無線通信機能を備える１又は複数の通信機器と近距離無線通信信号により通信する通信部と、
緊急発信時に経由可能な機器として前記１又は複数の通信機器を登録するとともに、前記１又は複数の通信機器との通信により、前記通信機器からの電池残量又は前記近距離無線通信信号の受信信号レベルのいずれか一方又は双方を、前記通信機器毎に登録する登録部と、
緊急発信時、前記電池残量が多く、前記受信信号レベルが高い通信機器に接続して、該通信機器を経由させて緊急発信させる制御部と、
を含むことを特徴とする電子機器。
【請求項８】
近距離無線通信機能を備える電子機器と機器とを無線通信により接続する優先接続装置であって、
前記電子機器が、近距離無線通信機能を備える１又は複数の機器と近距離無線信号の送受信をする通信部と、
前記複数の機器に優先度を付与し、該優先度により仕分けされた１又は複数の機器を表す優先付リストを登録する登録部と、
前記優先付リストに基づいて、１又は複数の機器を動的に選択し、選択された１又は複数の機器と前記通信部を通じて接続制御させる制御部と、
を含むことを特徴とする優先接続装置。
【請求項９】
近距離無線通信機能を備える電子機器と他の機器とを接続する優先接続方法であって、
近距離無線通信機能を備える１又は複数の機器と近距離無線信号の送受信をする処理と、
前記複数の機器に優先度を付与し、該優先度により仕分けされた１又は複数の機器を表す優先付リストを登録部に登録する処理と、
前記優先付リストに基づいて、１又は複数の機器を動的に選択し、選択された１又は複数の機器を近距離無線通信により接続制御させる処理と、
を含むことを特徴とする優先接続方法。
【請求項１０】
近距離無線通信機能を備える電子機器と他の機器とを接続するため、コンピュータにより実行される優先接続プログラムであって、
近距離無線通信機能を備える１又は複数の機器と近距離無線信号の送受信をするステップと、
前記複数の機器に優先度を付与し、該優先度により仕分けされた１又は複数の機器を表す優先付リストを登録部に登録するステップと、
前記優先付リストに基づいて、１又は複数の機器を動的に選択し、選択された１又は複数の機器を近距離無線通信により接続制御させるステップと、
を含むことを特徴とする優先接続プログラム。
【発明の詳細な説明】
【技術分野】
【０００１】
本発明は、近距離無線通信機能を持つ携帯電話機等の電子機器と他の機器との機器間接続に関し、特に、機器やその機器を携帯するユーザーの移動等を表す動的な情報として、例えば、接続機器との距離や、その位置や、時刻や、また、接続機器が携帯電話機の場合は、携帯電話機の基地局からの受信信号レベルや、その携帯電話機の電池残量や、通話状態等を優先付情報に用いて、接続機器の選択、及び、接続に用いられる電子機器の動的優先接続方法に関する。
【背景技術】
【０００２】
近距離無線通信機能として例えば、Bluetooth （ブルートゥース）通信規格による無線信号によって機器間を接続することが行われている。このような近距離通信機能による機器間の無線接続は、携帯電話機からパーソナルコンピュータ（ＰＣ）へのデータ伝送等の情報の活用や、携帯電話機とヘッドセット等のように一方にない機能を他方で補完する等、機器の利便性の向上等に活用される。しかし、このような近距離無線通信機能を有する機器がユーザーの周辺に多数存在しても、それら機器間の接続先の選択については個別に設定することを余儀なくされている。
【０００３】
この種の技術に関し、Bluetooth モジュールを搭載した緊急通報装置と、この緊急通報装置とBluetooth による通信が可能な複数の携帯電話機とで無線ネットワークを形成するとともに、この無線ネットワークに加入している携帯電話機から優先順位の高い順に携帯電話機を選択し、その携帯電話機に通報を試みるもの（例えば、特許文献１）や、近距離通信機能を備える機器から検索条件に合致するものを相手方として限定し、その相手方に対しデータを伝送するもの（例えば、特許文献２）が存在する。
【特許文献１】特開２００３−２２４９０号公報（段落番号０００８、００１８、００２４、図１等）
【特許文献２】特開２００３−３４８１００号公報（段落番号００２５、００３８、図１、図２等）
【発明の開示】
【発明が解決しようとする課題】
【０００４】
ところで、特許文献１に記載のものでは、無線ネットワークに加入している近傍の携帯電話機との接続を試みるにすぎないし、特許文献２に記載のものでは、予め設定した検索条件に合致する相手方を検索しているにすぎない。いずれのものも機器間の無線通信による接続に関し、機器の移動や利用状況を表す受信信号レベルや位置や時刻等の動的な情報を踏まえて複数の機器から接続先となる機器を選択するものではないし、多種の機器から接続先を選択することを課題とし、それを解決するものではない。
【０００５】
また、近距離無線通信機能を備える電子機器として例えば、携帯電話機では、ユーザーがその携帯電話機を把持や操作ができない場合には、通話や着信確認等が行えない場合があり、不都合である。
【０００６】
また、携帯電話機を媒介にして緊急通報が可能なもの（特許文献１）において、ネットワークに接続された順に、最初に接続された携帯電話機から接続を試みる構成では、その携帯電話機の受信信号レベルが低い、又は電池残量が少ない、又は通信中である場合等が生じると、通報が途切れたり、通報できなくなる不都合がある。
【０００７】
そこで、本発明は、近距離無線通信機能を持つ複数の機器間の無線接続に関し、接続先の機器に優先付けを付して接続先を選択し、各機器が持つ機能の利用性を向上させることを実現している。
【０００８】
例えば、本発明は、近距離無線通信機能を持つ複数の機器間の無線接続に関し、接続先の機器の選択要素である優先付に、機器間の近距離無線通信機能の受信信号レベルや、機器の位置や、時刻や、また、接続先の機器が携帯電話機の場合は、携帯電話機の基地局からの受信信号レベルや、その携帯電話機の電池残量や、通話状態等の動的情報を選択要素として参照することにより、機器の利用性をより向上させたものである。
【０００９】
具体的な一例としては、携帯電話機等の電子機器の緊急発信に関し、周囲の通信機器から最適な機器を選択し、その通信機能を活用することで、緊急発信の信頼性の向上に貢献する。
【課題を解決するための手段】
【００１０】
上記課題を解決するために構成された本発明の各側面は以下の通りである。
【００１１】
本発明の第１の側面は、近距離無線通信機能を備える電子機器であって、近距離無線通信機能を備える１又は複数の機器と近距離無線信号の送受信をする通信部と、前記複数の機器に優先度を付与し、該優先度により仕分けされた１又は複数の機器を表す優先付リストを登録する登録部と、前記優先付リストに基づいて、１又は複数の機器を動的に選択し、選択された１又は複数の機器と前記通信部を通じて接続制御させる制御部とを含む構成である。
【００１２】
斯かる構成とすれば、電子機器と他の１又は複数の機器とは近距離無線通信機能により接続することが可能であり、電子機器では、通信部を通じて行われる。そして、電子機器には、接続先である複数の機器に対し、優先度が付与され、その優先度により仕分けされた１又は複数の機器が優先付リストとして登録部に登録される。そこで、この登録部の優先付リストに基づき１又は複数の機器を動的に選択し、選択された１又は複数の機器と前記通信部を通じて接続させることができる。そこで、電子機器は、他の機器を通じて情報の授受や操作等が可能になる。
【００１３】
本発明の電子機器において、一例として、前記制御部は、前記登録部に登録された機器から、接続することで得られる近距離無線信号の受信信号レベル｛例えば、ＲＳＳＩ(Receive Signal Strength Indication)の強さやビットエラーレートの低さ｝により接続先の機器を選択し、選択された１又は複数の機器と前記通信部を通じて自動接続させる構成である。また、一例として、前記登録部に登録された機器が携帯電話機の場合、接続して通信することで得られる携帯電話機の基地局からの受信信号レベルや、その携帯電話機の電池残量や、通話状態により、接続先の携帯電話機を選択し、選択された１又は複数の携帯電話機と前記通信部を通じて自動接続させる構成である。斯かる構成とすれば、近距離無線信号の受信信号レベル等により接続先の機器が選択されるので、接続の信頼性が高められ、情報の授受等に有益である。
【００１４】
そこで、本発明の電子機器において、前記登録部に登録される前記機器が携帯電話機の場合、前記制御部は、基地局との通信接続により得られる受信信号レベルに応じて、前記電子機器から接続先として１又は複数の携帯電話機を選択し、該携帯電話機に前記通信部を通じて自動接続させる構成としてもよい。
【００１５】
また、本発明の電子機器において、前記登録部に登録される前記機器が携帯電話機の場合、前記制御部は、電池残量に応じて、前記携帯電話機から接続先として１又は複数の携帯電話機を選択し、該携帯電話機に前記通信部を通じて自動接続させる構成としてもよい。
【００１６】
また、本発明の電子機器において、前記登録部に登録される前記機器が携帯電話機の場合、前記制御部は、通話状態に応じて、前記携帯電話機から接続先として１又は複数の携帯電話機を選択し、該携帯電話機に前記通信部を通じて自動接続させる構成としてもよい。
【００１７】
本発明の電子機器において、前記登録部に同時に接続する機器数を登録し、該機器数に応じた数の機器と同時に接続する構成としてもよい。斯かる構成とすれば、優先度による接続先が単一又は複数になるので、利用性の高い機器に対する接続性を高めることができ、ユーザーの利便性が向上する。
【００１８】
本発明の電子機器において、前記優先付リストに、前記電子機器の移動先である１又は複数の位置情報とともに、各位置情報毎に優先度が付与された１又は複数の機器を登録し、該優先付リストから検索された１又は複数の機器を選択し、選択された１又は複数の機器に前記通信部を通じて自動接続させることができる。斯かる構成とすれば、ユーザーとともに移動する電子機器と接続先とを位置情報により動的に制御でき、最も利用性の高い機器との接続が可能となる。
【００１９】
本発明の電子機器において、前記優先付リストに、１又は複数の時間情報とともに、各時間情報毎に優先度が付与された１又は複数の機器を登録し、該優先付リストから検索された１又は複数の機器を選択し、選択された１又は複数の機器に前記通信部を通じて自動接続させることができる。斯かる構成とすれば、電子機器と接続先とを時間情報により動的に制御でき、その時間帯において最も利用性の高い機器との接続が可能となる。
【００２０】
本発明の電子機器において、前記電子機器又は前記機器は、携帯電話機、パーソナルコンピュータ等の情報端末機器、テレビジョン受像機等の家電機器、自動車等の移動機器、時計、ナビゲーション装置としてもよい。即ち、本発明の電子機器では、近距離無線通信機能を備える機器であればいずれのものでもよく、最も利用性の高い機器と接続をすることができる。
【００２１】
本発明の第２の側面は、近距離無線通信機能を備える電子機器であって、近距離無線通信機能を備える１又は複数の通信機器と近距離無線通信信号により通信する通信部と、緊急発信時に経由可能な機器として前記１又は複数の通信機器を登録するとともに、前記１又は複数の通信機器との通信により、前記通信機器からの電池残量又は通信状態又は基地局からの受信信号レベル又は前記近距離無線通信信号の受信信号レベルのいずれか一つ又は幾つかを、前記通信機器毎に登録する登録部と、緊急発信時、前記電池残量が多く、通話状態でなく、基地局からの受信信号レベルが高く、前記近距離無線通信信号の受信信号レベルが高い通信機器に接続して、該通信機器を経由させて緊急発信させる制御部とを含む構成である。
【００２２】
斯かる構成において、電子機器には、携帯電話機等、通信機能を備える各種機器が含まれる。本発明の第２の側面では、電子機器と近距離無線通信機能により通信が可能な１又は複数の通信機器を、緊急発信時に経由可能な通信機器として登録部に登録する。緊急発信に先駆け、登録された機器の電池残量や通信状態や基地局からの受信信号レベルや近距離無線通信信号の受信信号レベルを監視し、緊急発信時には前記受信信号レベルが高い通信機器に接続して、該通信機器を経由させて緊急発信させる構成としたものである。斯かる構成では、緊急発信及びその通信の信頼性が高められる。
【００２３】
本発明の第３の側面は、近距離無線通信機能を備える電子機器と機器とを無線通信により接続する優先接続装置であって、前記電子機器が、近距離無線通信機能を備える１又は複数の機器と近距離無線信号の送受信をする通信部と、前記複数の機器に優先度を付与し、該優先度により仕分けされた１又は複数の機器を表す優先付リストを登録する登録部と、前記優先付リストに基づいて、１又は複数の機器を動的に選択し、選択された１又は複数の機器と前記通信部を通じて接続制御させる制御部とを含む構成である。斯かる構成によれば、既述の電子機器と機器との近距離無線通信機能により、優先付リストに登録された１又は複数の機器との動的な接続が可能である。
【００２４】
本発明の第４の側面は、近距離無線通信機能を備える電子機器と他の機器とを接続する優先接続方法であって、近距離無線通信機能を備える１又は複数の機器と近距離無線信号の送受信をする処理と、前記複数の機器に優先度を付与し、該優先度により仕分けされた１又は複数の機器を表す優先付リストを登録部に登録する処理と、前記優先付リストに基づいて、１又は複数の機器を動的に選択し、選択された１又は複数の機器を近距離無線通信により接続制御させる処理とを含む構成である。斯かる接続方法により、優先付リストに登録された１又は複数の機器との接続が可能になる。
【００２５】
本発明の第５の側面は、近距離無線通信機能を備える電子機器と他の機器とを接続するため、コンピュータにより実行される優先接続プログラムであって、近距離無線通信機能を備える１又は複数の機器と近距離無線信号の送受信をするステップと、前記複数の機器に優先度を付与し、該優先度により仕分けされた１又は複数の機器を表す優先付リストを登録部に登録するステップと、前記優先付リストに基づいて、１又は複数の機器を動的に選択し、選択された１又は複数の機器を近距離無線通信により接続制御させるステップとを含む構成である。斯かる接続プログラムにより、優先付リストに登録された１又は複数の機器との接続がコンピュータ処理により実現される。
【発明の効果】
【００２６】
本発明の効果は以下の通りである。
【００２７】
(1) 近距離無線通信機能を備える特定の機器と他の複数の機器とを予め設定された優先度に従って登録された機器間で自動的に接続することができ、ユーザーの最も利用性の高い機器との接続ができ、各機器の利便性を高めることができる。
【００２８】
(2) 近距離無線通信機能を備える特定の機器と他の複数の機器とを予め設定された優先度に加え、受信信号レベルや、位置的や、また、接続先の機器が携帯電話機の場合は、携帯電話機の基地局からの受信信号レベルや、その携帯電話機の電池残量や、通話状態等の動的情報に基づいて機器間を自動的に接続することができ、ユーザーの位置や活動形態に応じ、ユーザーのより利用性の高い機器との接続ができ、その機器が備えた近距離無線通信機能を活用でき、各機器の利便性を高めることができる。
【発明を実施するための最良の形態】
【００２９】
〔第１の実施の形態〕
【００３０】
本発明の第１の実施の形態について、図１を参照して説明する。図１は、機器間の優先接続装置の実施の形態を示すブロック図である。
【００３１】
この実施の形態では、本発明の電子機器及び電子機器を用いた優先接続装置の一例として動的優先接続システム２が構築されている。この動的優先接続システム２では、Bluetooth 等の近距離無線通信機能を有する電子機器の一例として携帯電話機４が設置され、この携帯電話機４と同様の近距離無線通信機能を有する機器として例えば、機器６１、６２、６３・・・６Ｎが設置されている。即ち、携帯電話機４の近距離無線通信による接続先は複数の機器６１、６２、６３・・・６Ｎから選択される１又は複数の機器である。各機器６１、６２、６３・・・・６Ｎは例えば、携帯電話機、パーソナルコンピュータ等の情報端末機器、テレビジョン受像機等の家電機器、自動車等の移動機器、時計、ＧＰＳ（Global Positioning System ）装置又はＧＰＳ搭載機器等から選択される機器であり、この場合、携帯電話機４とBluetooth 等の近距離無線通信機能を用いて通信接続が可能であればどのような機器でもよい。また、機器６１、６２、６３・・・・６Ｎは、ユーザーが携帯する携帯電話機４に対して接続可能な機器であって、携帯電話機４の接続先は、機器６１、６２、６３・・・・６Ｎから選択された１又は複数の機器に対する優先付け、受信信号のレベル、家庭や職場等の滞在位置、時刻等の動的な情報により、これら機器６１、６２、６３・・・・６Ｎから選択された１又は複数の機器であって、特定の機器に固定されるものではない。その意味から携帯電話機４の接続先は動的であり、固定的ではない。
【００３２】
携帯電話機４には、プロセッサ８、近距離無線通信部１０、機器登録受付部１２、優先付リスト受付部１４、接続機器数受付部１６、データベース１８、時刻管理部２０、位置検出部２２、電話無線通信部２４、表示部２６、音声入力部２８、音声出力部３０等が備えられている。
【００３３】
プロセッサ８は、ＣＰＵ（Central Processing Unit ）、ＲＯＭ（Read-Only Memory）、ＲＡＭ（Random-Access Memory）等を備えるコンピュータで構成された制御部であって、後述の動的優先接続制御、通話制御、表示制御、接続先情報の登録処理や検索処理、近距離無線通信制御、測位制御、計時制御、各種制御情報等の表示制御等の処理を実行する。
【００３４】
近距離無線通信部１０は、アンテナ３２を通じて送受信される無線信号として例えば、Bluetooth 通信規格等による電磁波や、その他の通信規格による伝送媒体により、接続先である機器６１、６２、６３・・・・６Ｎと無線通信により接続される。携帯電話機４と接続先の機器６１、６２、６３・・・・６Ｎとは無線信号を用いて接続され、データ授受や音声の授受が行われる。そして、この実施の形態では、近距離無線通信部１０から所定時間毎に無線信号が発せられ、その受信信号により所定時間毎に接続先の機器との通信による検索が行われ、その検索結果を表す情報がプロセッサ８に取り込まれる。
【００３５】
機器登録受付部１２には、ユーザーインターフェイス（ＵＩ）３４から加えられる接続先機器として例えば、機器６１、６２、６３・・・・６Ｎの機器アドレス等の登録指示が受け付けられる。ＵＩ３４は、キーボードや表示部２６に表示されたカーソルやアイコン等で構成される。優先付リスト受付部１４には、位置や時間等の情報に依存する優先付リストや、位置や時間等の情報に依存しない優先付リストが受け付けられ、また、接続機器数受付部１６には、接続機器数が受け付けられる。なお、ＵＩ３４からプロセッサ８に操作情報等が入力される。
【００３６】
データベース１８には、接続先情報、位置情報として地名や地図情報等が格納されているとともに、機器登録部１８２、優先付リスト登録部１８４、接続機器数登録部１８６等が設定され、対応する情報が格納される。機器登録部１８２には接続先の機器６１、６２、６３・・・・６Ｎを表す情報として例えば、Bluetooth 規格を基礎とした機器アドレスが格納され、優先付リスト登録部１８４には優先付リストとして優先度が付された機器アドレスが格納され、また、接続機器数登録部１８６には同時に接続される接続機器数Ｎ（＝１又はｎ、但し、ｎ＝２、３・・・）が格納される。
【００３７】
時刻管理部２０にはタイマー等が設置され、接続先の選択情報としての時刻が管理される。この時刻情報は、ユーザーの行動様式や移動エリアの時間的な接続先の接続情報として用いられる。
【００３８】
位置検出部２２には、全地球測位システム（ＧＰＳ：Global Positioning System ）やナビゲーションシステム（Navigation System ）等を用いて携帯電話機４の移動位置として地名や地図情報等の位置情報が検出される。この位置情報は、プロセッサ８に取り込まれ、データベース１８に格納される。
【００３９】
電話無線通信部２４は、通常の電話回線と接続され、電話局を介して相手先電話機との通話に用いられる。即ち、音声入力部２８に加えられた音声がプロセッサ８を通して電話無線通信部２４から送信され、電話無線通信部２４の着信音声が音声出力部３０から出力される。
【００４０】
表示部２６には接続先情報や着信通知等の各種の情報が表示される。また、この表示部２６にはカーソルやアイコンが表示され、ＵＩ３４から加えられる操作情報を通してカーソルの移動やアイコンによる情報選択が行われる。
【００４１】
また、この実施の形態では、機器６１には近距離無線通信部６１２及び通知部６１４、機器６２には近距離無線通信部６２２及び通知部６２４、機器６３には近距離無線通信部６３２及び通知部６３４、・・・・・機器６Ｎには近距離無線通信部６Ｎ２及び通知部６Ｎ４が備えられている。通知部６１４、６２４、６３４・・・６Ｎ４は、表示部及び／又は音声通知部で構成され、着信通知や相手先等の情報が表示される。そして、機器６１には送受話部６１６が設置され、近距離無線通信部６１２を通して携帯電話機４との音声通話等が可能である。同様に、機器６Ｎにも送受話部６Ｎ６が設置され、近距離無線通信部６Ｎ２を通して携帯電話機４との音声通話等が可能である。
【００４２】
このような動的優先接続システム２によれば、機器登録受付部１２の指示に基づき、近距離無線通信部１０から無線信号を機器６１〜６Ｎに送信することにより、その存在を機器６１〜６Ｎからの近距離無線通信による応答信号、即ち、受信信号により確認し、応答のあった機器６１〜６Ｎの１又は複数の機器を表す機器アドレスをデータベース１８の機器登録部１８２に登録することができる。また、登録された機器との通信の同期をとることにより、機器６１〜６Ｎからの受信信号レベルが近距離無線通信部１０により監視される。また、登録される機器が携帯電話機の場合、携帯電話機との通信の同期をとり、通信を行うことで、携帯電話機の基地局からの受信信号レベルや、携帯電話機の電池残量や、通話状態を電子機器に通知してもらうことで、登録された携帯電話機の受信信号レベルや、電池残量、通話状態を管理できる。
【００４３】
また、優先付リスト受付部１４の指示に基づき、優先付リストをデータベース１８の優先付リスト登録部１８４に登録することができる。この優先付リストの登録に関し、
ａ  任意の優先付リストの登録
ｂ  位置毎の優先付リストの登録
ｃ  時間毎の優先付リストの登録
があり、また、この登録は任意である。
【００４４】
任意の優先付リストの登録（ａ）は、ユーザーが希望する所望の機器６１〜６Ｎから選択される１又は複数の機器について、接続順位を登録するものである。ユーザーや携帯電話機４の近傍に存在し、利用性の高い機器の登録について順位付けが行える。また、位置毎の優先付リストの登録（ｂ）は、ユーザーや携帯電話機４の移動先に対応し、位置情報をパラメータ情報に用いることにより、機器６１〜６Ｎから選択される１又は複数の機器について、接続順位を登録するものである。ユーザーや携帯電話機４の移動位置に動的に対応し、利用性の高い機器の登録について順位付けが行える。また、時間毎の優先付リストの登録（ｃ）は、ユーザーや携帯電話機４の時間毎に対応し、時間情報をパラメータ情報に用いることにより、機器６１〜６Ｎから選択される１又は複数の機器について、接続順位を登録するものである。ユーザーや携帯電話機４の行動形態等に動的に対応し、利用性の高い機器の登録について順位付けが行える。
【００４５】
また、このような優先付リストの登録に加え、接続機器数受付部１６の指示に基づき、機器６１〜６Ｎから選択される１又は複数の機器について、同時に接続すべき機器数の登録を可能にするものである。順位付けを行うと、選択される機器を単一とすることなく、複数の機器を同時に接続させることにより、認識性や利便性が向上する。
【００４６】
優先付リストに登録された機器６１〜６Ｎから選択された１又は複数の機器に接続する一例として、近距離無線通信の受信信号レベルの監視により、最も受信信号レベルの高い機器との接続も可能である。また、一例として、登録された機器が携帯電話機の場合、その携帯電話機の基地局からの受信信号レベルや、その携帯電話機の電池残量や、通話状態を通知してもらうことで、電池残量があり、通話状態でない携帯電話機を選択し、その中で最も基地局からの受信信号レベルが高い携帯電話機との接続が可能である。このような接続形態により、接続の信頼性の向上や、通話の了解度を高めることができる。
【００４７】
そして、電話やメールの通信に関し、携帯電話機４から機器６１〜６Ｎの通知部６１４、６２４・・・６Ｎ４への着信通知、メール表示だけでなく、送受話部６１６、６Ｎ６による近距離無線通信を媒介とした送受話を行える。また、携帯電話機４と優先接続される機器６１〜６Ｎからの通信や制御に関し、機器６１〜６Ｎから定型文のメール送信、携帯電話機４のマナーモード等の各種のモード設定やその解除等の制御を行うこともできる。
【００４８】
次に、携帯電話機４の構成例について、図２を参照して説明する。図２は既述の携帯電話機４の構成例を示す図である。図２において、図１に示す携帯電話機４と同一部分又は対応部分には同一符号を付してある。
【００４９】
図２に示すように、この携帯電話機４は、第１及び第２の筐体部３６、３８を備え、ヒンジ部４０でこれら筐体部３６、３８を開閉可能に構成したものである。筐体部３６には既述のプロセッサ８、近距離無線通信部１０、機器登録受付部１２、優先付リスト受付部１４、接続機器数受付部１６、データベース１８等が搭載され、筐体部３８には表示部２６、アンテナ３２、４２等が搭載されている。アンテナ４２は電話無線通信部２４の無線信号の送受に用いられる。この実施の形態の携帯電話機４では、既述のＵＩ３４が複数のキーによって構成されており、これらのキーには例えば、カーソルキー４４や文字キー４６が含まれている。
【００５０】
次に、データベース１８の格納情報について、図３、図４、図５及び図６を参照して説明する。図３は、優先付リスト登録部１８４に登録された優先付リストの構成例を示す図、図４は、接続機器数登録部１８６に登録された接続機器数の登録例を示す図、図５は、位置情報をパラメータとした優先付リストの構成例を示す図、図６は、時間情報をパラメータとした優先付リストの構成例を示す図である。
【００５１】
優先付リストの登録例について、図３の（Ａ）に示す登録例では、接続先の第１〜第３の優先度を表す優先付情報「１」、「２」、「３」が設定され、第１の優先度「１」には例えば、機器６１の近距離無線通信のアドレス、第２の優先度「２」には例えば、機器６２の近距離無線通信のアドレス、第３の優先度「３」には例えば、機器６３の近距離無線通信のアドレスが設定されている。
【００５２】
また、優先付リストの他の登録例について、図３の（Ｂ）に示す登録例では、第１及び第２の優先度を表す優先付情報「１」、「２」が設定され、第１の優先度「１」には例えば、機器６１の近距離無線通信のアドレス、第２の優先度「２」には２つの機器として例えば、機器６２、６３の近距離無線通信のアドレスが同一優先度に設定されている。
【００５３】
また、接続機器数の登録例について、図４の（Ａ）に示す登録例では、接続数として「１」が登録され、この接続数「１」は、接続先の機器数が１台であることを表している。また、図４の（Ｂ）に示す登録例では、接続数として「２」が登録され、この接続数「２」は、接続先の機器数が２台であることを表している。
【００５４】
また、位置情報をパラメータとした優先付リストの登録例について、図５に示す登録例では、接続先の第１及び第２の上位優先度Ｉ、IIを表す優先付情報「１」、「２」が登録され、上位優先度Ｉには自宅の位置座標を基準に半径１０〔ｍ〕の範囲が設定され、上位優先度IIには他の位置として例えば、自宅の位置座標を基準に半径１０〔ｍ〕以外の範囲が設定されている。上位優先度Ｉには下位優先度を表す優先付情報「１」、「２」、「３」が登録され、その上位優先度IIには下位優先度を表す優先付情報「１」、「２」が登録されている。この例では、Ｉの「１」には例えば、機器６１の近距離無線通信のアドレス、Ｉの「２」には例えば、機器６２の近距離無線通信のアドレス、Ｉの「３」には例えば、機器６３の近距離無線通信のアドレスが登録されている。また、IIの「１」には例えば、機器６２の近距離無線通信のアドレス、IIの「２」には例えば、機器６１、６３の近距離無線通信のアドレスが同一優先付で登録されている。
【００５５】
また、時間情報をパラメータとした優先付リストの登録例について、図６に示す登録例では、接続先の第１及び第２の上位優先度Ｉ、IIを表す優先付情報「１」、「２」が登録され、上位優先度Ｉには例えば、７：００〜２３：００の時間帯が登録され、上位優先度IIにはそれ以外の時間幅が登録されている。上位優先度Ｉには下位優先度を表す優先付情報「１」、「２」、「３」が登録され、その上位優先度IIには下位優先度を表す優先付情報「１」、「２」が登録されている。この例では、Ｉの「１」には例えば、機器６１の近距離無線通信のアドレス、Ｉの「２」には例えば、機器６２の近距離無線通信のアドレス、Ｉの「３」には例えば、機器６３の近距離無線通信のアドレスが登録されている。また、IIの「１」には例えば、機器６２の近距離無線通信のアドレス、IIの「２」には例えば、機器６１の近距離無線通信のアドレスが登録されている。
【００５６】
次に、携帯電話機４（図１）と機器との第１の登録方法について、図７を参照して説明する。図７は、機器の登録処理を示すフローチャートである。
【００５７】
この登録処理では、事前に接続先の機器６１、６２・・・６Ｎの検索が行われ（ステップＳ１１）、その検索の結果、登録の対象である機器が存在すれば、その機器を表す機器アドレスの登録が行われる（ステップＳ１２）。この機器アドレスは例えば、近距離無線通信における機器アドレスであり、データベース１８の機器登録部１８２に登録される。
【００５８】
この機器登録の後、位置にも時間にも依存しない優先付リストの登録を行うか否かの問い合わせが発せられ（ステップＳ１３）、その優先付リストの登録を行う場合には、その優先付リストの登録処理が実行され（ステップＳ１４）、同時に接続する機器数Ｎの登録について問い合わせを行う（ステップＳ１５）。優先付リストの登録を行わない場合にも、ステップＳ１５に移行する。そして、機器数Ｎの登録を行わない場合には、強制的にＮ＝１が登録され（ステップＳ１６）、機器数Ｎの登録を行う場合には、所望の機器数Ｎ（＝ｎ）を登録する（ステップＳ１７）。
【００５９】
この登録処理について、携帯電話機４に例えば、機器６１、６２、６３（図１）の登録を行う場合を詳述すると、携帯電話機４の機器登録受付部１２では機器登録の指示を受け付け、その指示は機器登録受付部１２からプロセッサ８に加えられ、プロセッサ８を通して近距離無線通信部１０に伝達される。この近距離無線通信部１０により無線信号が発せられ、周辺に存在する機器６１、６２、６３・・・６Ｎの検索が行われる。この検索は、機器６１〜６Ｎからの応答信号により存在が確認される。この結果、接続先である機器として例えば、機器６１、６２、６３が検索されると、近距離無線通信部１０からプロセッサ８に各機器６１、６２、６３の近距離無線通信の機器アドレスが通知される。通知を受けたプロセッサ８により、各機器６１、６２、６３を表す機器アドレスがデータベース１８の機器登録部１８２に登録される。
【００６０】
任意登録（ステップＳ１４）では、優先付リスト受付部１４に位置や時間に依存しない優先付リストの登録が要求され、優先付リスト受付部１４はそれをプロセッサ８に通知し、プロセッサ８は、データベース１８の機器登録部１８２から機器アドレスを読み出し、その機器アドレスを優先付リスト受付部１４に通知する。この場合、表示部２６にそれを表示する。ＵＩ３４から優先付リスト受付部１４を通して機器アドレスに優先付を行う。この場合、例えば、表１に示すように、優先付を行う。
【００６１】
【表１】
2006319946.tif 000003
【００６２】
また、例えば、表２に示すように、優先付を行ってもよい。
【００６３】
【表２】
2006319946.tif 000004
【００６４】
このような優先付リストは優先付リスト受付部１４を経てプロセッサ８に通知され、プロセッサ８によりデータベース１８の優先付リスト登録部１８４に格納される。
【００６５】
そして、機器数Ｎの登録処理（ステップＳ１５、Ｓ１７）では、接続先の機器数Ｎ＝ｎの登録を行う。この登録は、接続機器数受付部１６に通知される。接続機器数として例えば、Ｎ＝２と登録される。このＮ＝２は、接続機器数受付部１６を通してプロセッサ８に通知され、データベース１８の接続機器数登録部１８６に登録される。接続先の機器数Ｎを登録しない場合には（ステップＳ１５、Ｓ１６）、強制的にデフォルト値としてＮ＝１が格納される。
【００６６】
次に、携帯電話機４（図１）と機器との第１の接続方法について、図８を参照して説明する。図８は、機器の接続処理を示すフローチャートである。
【００６７】
この接続処理では、データベース１８の機器登録部１８２に登録されている機器アドレスを読み出し（ステップＳ２１）、近距離無線通信部１０を動作させ、その機器アドレスに対応する機器６１〜６Ｎに対して定期的に近距離無線通信によって自動的に接続される（ステップＳ２２）。この接続により、近距離無線通信部１０が受信する無線信号の受信信号レベルが近距離無線通信部１０によって定期的に計測され（ステップＳ２３）、その機器アドレスに対応する機器６１〜６Ｎの受信信号レベルがプロセッサ８に取り込まれる。接続中の機器が存在している場合には、接続中の受信信号レベルを定期的に計測し、その計測結果をプロセッサ８に通知し、また、接続できない機器は無視する。
【００６８】
接続先を選択するため、プロセッサ８により、データベース１８の優先付リスト登録部１８４が検索され、優先付リストの登録の有無が確認される（ステップＳ２４）。優先付リストが存在する場合には、接続機器数登録部１８６から接続機器数Ｎが読み出され（ステップＳ２５）、登録されている機器アドレスの中から優先度の高いＮ＝１又は複数の機器６１〜６Ｎが選択され、もし同じ優先度に複数の機器アドレスが存在して、その中から幾つかの機器を接続する場合には、その中から受信信号レベルの高いＮ＝１又は複数の機器が選択され、その機器を接続することが近距離無線通信部１０に通知され、近距離無線通信部１０が、接続先として、受信信号レベルの高い１又は複数の機器６１〜６Ｎに接続される（ステップＳ２６）。
【００６９】
また、優先付リストが存在しない場合にも、接続機器数登録部１８６から接続機器数Ｎが読み出され（ステップＳ２７）、受信信号レベルの高いＮ＝１又は複数の機器が選択され、その機器が近距離無線通信部１０に通知され、近距離無線通信部１０が、受信信号レベルの高い１又は複数の機器に接続される（ステップＳ２８）。
【００７０】
この場合、近距離無線通信部１０は、未接続状態にある機器とを自動接続するものであり、接続しようとする機器アドレスとは異なる機器と接続が確立されている場合には、その接続を解除した後、受信信号レベルの高い機器に変更して接続する。
【００７１】
次に、携帯電話機４（図１）と携帯電話機との第２の接続方法について、図９を参照して説明する。図９は、機器の接続処理を示すフローチャートである。
【００７２】
この場合、説明を容易にするため、機器６１〜６Ｎの一例として携帯電話機６１〜６Ｎとして説明する。この接続処理では、データベース１８の機器登録部１８２に登録されている機器アドレスを読み出し（ステップＳ２０１）、近距離無線通信部１０を動作させ、その機器アドレスに対応する携帯電話機６１〜６Ｎに対して定期的に近距離無線通信によって自動的に接続される（ステップＳ２０２）。この接続により、通信を行うことで、その機器アドレスに対応する携帯電話機６１〜６Ｎの基地局からの受信信号レベル、その携帯電話機６１〜６Ｎの電池残量、通話状態が近距離無線通信部１０で受信され、プロセッサ８に取り込まれる（ステップＳ２０３）。接続中の携帯電話機が存在している場合には、接続中の通信により、基地局からの受信信号レベル、その携帯電話機の電池残量、通話状態が、その接続時、又はそれらの状態が変わる度に、近距離無線通信部１０に通知され、プロセッサ８に取り込まれる。また、接続できない携帯電話機は無視する。
【００７３】
接続先を選択するため、プロセッサ８により、データベース１８の優先付リスト登録部１８４が検索され、優先付リストの登録の有無が確認される（ステップＳ２０４）。優先付リストが存在する場合には、接続機器数登録部１８６から接続機器数Ｎが読み出され（ステップＳ２０５）、登録されている機器アドレスの中から優先度の高いＮ＝１又は複数の携帯電話機６１〜６Ｎが選択され、もし同じ優先度に複数の機器アドレスが存在して、その中から幾つかの携帯電話機を接続する場合には、その中から、通話状態でなく、電池残量が充電を促すレベルでなく、基地局からの受信信号レベルの高いＮ＝１又は複数の携帯電話機６１〜６Ｎが選択され、その携帯電話機を接続することが近距離無線通信部１０に通知され、近距離無線通信部１０が、接続先として、その選択された１又は複数の携帯電話機６１〜６Ｎに接続される（ステップＳ２０６）。
【００７４】
また、優先付リストが存在しない場合にも、接続機器数登録部１８６から接続機器数Ｎが読み出され（ステップＳ２０７）、通話状態でなく、電池残量が充電を促すレベルでなく、基地局からの受信信号レベルの高いＮ＝１又は複数の携帯電話機６１〜６Ｎが選択され、その携帯電話機が近距離無線通信部１０に通知され、近距離無線通信部１０が、接続先として、その選択された１又は複数の携帯電話機６１〜６Ｎに接続される（ステップＳ２０８）。
【００７５】
この場合、近距離無線通信部１０は、未接続状態にある携帯電話機とを自動接続するものであり、接続しようとする機器アドレスとは異なる携帯電話機と接続が確立されている場合には、その接続を解除した後、通話状態でなく、電池残量が充電を促すレベルでなく、基地局からの受信信号レベルの高い携帯電話機に変更して接続する。  
【００７６】
次に、携帯電話機４（図１）と機器との第２の登録方法について、図１０を参照して説明する。図１０は、位置毎の優先付リストの登録を含む登録処理を示すフローチャートである。
【００７７】
既述の登録処理（図７）では、機器アドレスの登録の後、任意の優先付リストの登録を行っているが、この登録処理（図１０）は、機器登録（ステップＳ１１、Ｓ１２：図７）の後、又は、優先付リストの登録（ステップＳ１４：図７）の後、位置毎の優先付リストを登録する場合である。
【００７８】
そこで、この登録処理では、優先付リスト受付部１４には、位置毎の優先付リストの登録を行うか否かが受け付けられる（ステップＳ３１）。斯かる登録を行う場合には、優先付リスト受付部１４からその登録要求がプロセッサ８に通知され、位置毎の優先付リストの登録が行われる（ステップＳ３２）。この場合、ＵＩ３４から地名等の位置情報が入力されると、この地名が優先付リスト受付部１４に通知されるとともに、表示部２６に表示され、それをユーザーが確認する。この地名を表す位置情報はプロセッサ８に通知され、プロセッサ８により、データベース１８に予め格納されている地図情報が読み出されるか、電話無線通信部２４と接続されるネットワークを通してサーバから地図情報が読み出され、優先付リスト登録部１８４に通知される。この地図情報は表示部２６に表示され、ユーザーは、地図上に優先付リストに登録したいエリアをカーソル指示等により選択する。そのエリアの登録には例えば、その中心から半径ｒの距離範囲を選択すればよい。例えば、自宅を中心に、半径ｒ＝１０〔ｍ〕内の場合には、表３に示すように、優先順位を設定すればよい。
【００７９】
【表３】
2006319946.tif 000005
【００８０】
また、自宅を中心に、半径ｒ＝半径１０〔ｍ〕以外の場合には、表４に示すように、優先順位を設定すればよい。
【００８１】
【表４】
2006319946.tif 000006
【００８２】
このように設定される、位置毎の優先付リストは優先付リスト受付部１４からプロセッサ８に通知されるとともに、プロセッサ８に登録指示が発せられ、データベース１８の優先付リスト登録部１８４に位置毎の優先付リストが格納される（ステップＳ３２）。
【００８３】
この位置毎の優先順位を付した機器登録の後、同時に接続する機器数Ｎの登録について問い合わせが行われ（ステップＳ３３）、位置毎の優先付リストの登録を行わない場合にも、ステップＳ３３に移行する。そして、機器数Ｎの登録を行わない場合には、強制的にＮ＝１が登録され（ステップＳ３４）、機器数Ｎ＝ｎの登録を行う場合には、所望の機器数Ｎ＝ｎを登録する（ステップＳ３５）。この場合、優先度毎に接続機器数Ｎが登録される。
【００８４】
次に、携帯電話機４（図１）と機器との第３の接続方法について、図１１を参照して説明する。図１１は、位置毎の優先付リストを備えた場合の機器の接続処理を示すフローチャートである。
【００８５】
この接続処理では、データベース１８の機器登録部１８２に登録されている機器アドレスを読み出し（ステップＳ４１）、近距離無線通信部１０を動作させ、その機器アドレスに対応する機器６１〜６Ｎに対して定期的に近距離無線通信によって自動的に接続される（ステップＳ４２）。この接続により、近距離無線通信部１０が受信する無線信号の受信信号レベルが近距離無線通信部１０によって定期的に計測され（ステップＳ４３）、その機器アドレスに対応する機器６１〜６Ｎの受信信号レベルがプロセッサ８に取り込まれる。接続中の機器が存在している場合には、接続中の受信信号レベルを定期的に計測し、その計測結果をプロセッサ８に通知し、また、接続できない機器は無視する。
【００８６】
接続先を選択するため、プロセッサ８により、データベース１８の優先付リスト登録部１８４が検索され、位置毎の優先付リストの登録の有無が確認される（ステップＳ４４）。位置毎の優先付リストが存在する場合には、接続機器数登録部１８６から接続機器数Ｎが読み出され（ステップＳ４５）、登録されている機器アドレスの中から優先度の高いＮ＝１又は複数の機器６１〜６Ｎが選択され、もし同じ優先度に複数の機器アドレスが存在して、それらの中から幾つかの機器を接続する場合には、その中から受信信号レベルの高いＮ＝１又は複数の機器６１〜６Ｎが選択され、その機器を接続することが近距離無線通信部１０に通知され、近距離無線通信部１０が、接続先として、受信信号レベルの高い１又は複数の機器６１〜６Ｎに接続される（ステップＳ４６）。
【００８７】
また、位置毎の優先付リストが存在しない場合にも、接続機器数登録部１８６から接続機器数Ｎが読み出され（ステップＳ４７）、受信信号レベルの高いＮ＝１又は複数の機器が選択され、その機器が近距離無線通信部１０に通知され、近距離無線通信部１０が、受信信号レベルの高い１又は複数の機器に接続される（ステップＳ４８）。
【００８８】
この場合、近距離無線通信部１０は、未接続状態にある機器とを自動接続するものであり、接続しようとする機器アドレスとは異なる機器と接続が確立されている場合には、その接続を解除した後、受信信号レベルの高い機器に変更して接続する。
【００８９】
次に、携帯電話機４（図１）と機器との第３の登録方法について、図１２を参照して説明する。図１２は、時間毎の優先付リストの登録を含む登録処理を示すフローチャートである。
【００９０】
既述の登録処理（図７）では、機器アドレスの登録の後、任意の優先付リストの登録を行っているが、この登録処理（図１２）は、機器登録（ステップＳ１１、Ｓ１２：図７）、優先付リストの登録（ステップＳ１４：図７）、又は位置毎の優先付リストの登録（ステップＳ３２：図１０）の後、時間毎の優先付リストを登録する場合である。
【００９１】
そこで、この登録処理では、優先付リスト受付部１４には、時間毎の優先付リストの登録を行うか否かが受け付けられる（ステップＳ５１）。斯かる登録を行う場合には、優先付リスト受付部１４からその登録要求がプロセッサ８に通知され、時間毎の優先付リストの登録が行われる（ステップＳ５２）。この場合、ＵＩ３４から時間情報が入力されると、この時間が優先付リスト受付部１４に通知されるとともに、表示部２６に表示され、それをユーザーが確認する。この時間情報はプロセッサ８に通知され、データベース１８の優先付リスト登録部１８４にその時間毎の優先付リストが登録される（ステップＳ５２）。例えば、時間帯7:00〜23:00 の場合には、表５に示すように、優先順位を設定すればよい。
【００９２】
【表５】
2006319946.tif 000007
【００９３】
また、時間帯7:00〜23:00 以外の場合には、表６に示すように、優先順位を設定すればよい。
【００９４】
【表６】
2006319946.tif 000008
【００９５】
このように設定される、時間帯毎の優先付リストは優先付リスト受付部１４からプロセッサ８に通知されるとともに、プロセッサ８に登録指示が発せられ、データベース１８の優先付リスト登録部１８４に時間帯毎の優先付リストが格納される（ステップＳ５２）。
【００９６】
この時間毎の優先順位を付した機器登録の後、同時に接続する機器数Ｎの登録について問い合わせが行われ（ステップＳ５３）。時間毎の優先付リストの登録を行わない場合にも、ステップＳ５３に移行する。そして、機器数Ｎの登録を行わない場合には、強制的にＮ＝１が登録され（ステップＳ５４）、機器数Ｎ＝ｎの登録を行う場合には、所望の機器数Ｎ＝ｎを登録する（ステップＳ５５）。この場合、優先度毎に接続機器数Ｎが登録される。
【００９７】
次に、携帯電話機４（図１）と機器との第４の接続方法について、図１３を参照して説明する。図１３は、時間帯毎の優先付リストを備えた場合の機器の接続処理を示すフローチャートである。
【００９８】
この接続処理では、データベース１８の機器登録部１８２に登録されている機器アドレスを読み出し（ステップＳ６１）、近距離無線通信部１０を動作させ、その機器アドレスに対応する機器６１〜６Ｎに対して定期的に近距離無線通信によって自動的に接続される（ステップＳ６２）。この接続により、近距離無線通信部１０が受信する無線信号の受信信号レベルが近距離無線通信部１０によって定期的に計測され（ステップＳ６３）、その機器アドレスに対応する機器６１〜６Ｎの受信信号レベルがプロセッサ８に取り込まれる。接続中の機器が存在している場合には、接続中の受信信号レベルを定期的に計測し、その計測結果をプロセッサ８に通知し、また、接続できない機器は無視する。
【００９９】
接続先を選択するため、プロセッサ８により、データベース１８の優先付リスト登録部１８４が検索され、時間帯毎の優先付リストの登録の有無が確認される（ステップＳ６４）。時間帯毎の優先付リストが存在する場合には、接続機器数登録部１８６から接続機器数Ｎが読み出され（ステップＳ６５）、登録されている機器アドレスの中から優先度の高いＮ＝１又は複数の機器６１〜６Ｎが選択され、もし同じ優先度に複数の機器アドレスが存在して、それらの中から幾つかの機器を接続する場合には、その中から受信信号レベルの高いＮ＝１又は複数の機器６１〜６Ｎが選択され、その機器を接続することが近距離無線通信部１０に通知され、近距離無線通信部１０が、接続先として、受信信号レベルの高い１又は複数の機器６１〜６Ｎに接続される（ステップＳ６６）。
【０１００】
また、時間帯毎の優先付リストが存在しない場合にも、接続機器数登録部１８６から接続機器数Ｎが読み出され（ステップＳ６７）、受信信号レベルの高いＮ＝１又は複数の機器が選択され、その機器が近距離無線通信部１０に通知され、近距離無線通信部１０が、受信信号レベルの高い１又は複数の機器に接続される（ステップＳ６８）。
【０１０１】
この場合、近距離無線通信部１０は、未接続状態にある機器とを自動接続するものであり、接続しようとする機器アドレスとは異なる機器と接続が確立されている場合には、その接続を解除した後、受信信号レベルの高い機器に変更して接続する。
【０１０２】
次に、接続イベントの生起による接続処理について、図１４を参照して説明する。図１４は、接続イベントの生起による接続処理を示すフローチャートである。
【０１０３】
携帯電話機４では、待機状態において、電話着信やメール着信等の接続イベントが生起したか否かを監視している（ステップＳ７１）。接続イベントが生起すると、電話無線通信部２４からの通知により、プロセッサ８では、データベース１８の優先付リスト登録部１８４が検索され、優先付リストの存在を確認する（ステップＳ７２）。優先付リストの登録がなければ、近距離無線通信の受信信号レベルに基づき、接続機器数登録部１８６の接続機器数Ｎに応じた数の機器に接続する（ステップＳ７３）。この処理は、図８に示すフローチャートに記載した通り、機器アドレスの読出し（ステップＳ２１）、近距離無線通信部１０による接続（ステップＳ２２）、受信信号レベルの計測（ステップＳ２３）、接続機器数Ｎの読出し（ステップＳ２７）、受信信号レベルの高い１又は複数の機器に接続（ステップＳ２８）の処理である。
【０１０４】
また、優先付リストがあれば、その優先付リストを検索し、その優先付リストが、
ａ  任意登録の優先付リスト
ｂ  位置に依存する優先付リスト
ｃ  時間に依存する優先付リスト
のいずれかを判別し、その優先付リストに応じた接続が行われる（ステップＳ７４）。
【０１０５】
この優先付リストに応じた接続（ステップＳ７４）について、任意登録の優先付リストの場合には、既述のフローチャート（図８）の接続機器数Ｎの読出し（ステップＳ２５）、優先度が高く、受信信号レベルの高い１又は複数の機器に接続（ステップＳ２６）の処理が行われる。
【０１０６】
また、位置に依存する優先付リストの場合には、既述のフローチャート（図１１）の接続機器数Ｎの読出し（ステップＳ４５）、位置毎に優先度が高く、受信信号レベルの高い１又は複数の機器に接続（ステップＳ４６）の処理が行われる。
【０１０７】
また、時間に依存する優先付リストの場合には、既述のフローチャート（図１３）の接続機器数Ｎの読出し（ステップＳ６５）、時間毎に優先度が高く、受信信号レベルの高い１又は複数の機器に接続（ステップＳ６６）の処理が行われる。
【０１０８】
これらの携帯電話機４と接続された機器６１等に着信通知が通知部６１４等に表示されて告知される。この場合、例えば、機器６１では近距離無線通信を介在して送受話部６１６を通して通話をすることができる。
【０１０９】
〔第２の実施の形態〕
【０１１０】
次に、本発明の第２の実施の形態について、図１５を参照して説明する。図１５は、機器間の優先接続装置の第２の実施の形態を示すブロック図である。図１５において、図１の優先接続装置と同一部分には同一符号を付し、その説明を省略する。
【０１１１】
第１の実施の形態では、特定の機器として携帯電話機４を例示したが、携帯電話機以外の電子機器６０として構成し、他の機器６１〜６Ｎと近距離無線通信による優先接続を行うように構成してもよい。電子機器６０としては、他の機器６１〜６Ｎと同様に、情報処理端末、家電機器等で構成できる。
【０１１２】
このように構成しても、既述した通りの優先付リスト、受信信号レベルでの優先性等の登録及び接続を行うことができ、情報の授受やイベントの告知等の処理に活用することができる。
【０１１３】
〔第３の実施の形態〕
【０１１４】
次に、本発明の第３の実施の形態について、図１６を参照して説明する。図１６は、機器間の優先接続装置の第３の実施の形態を示すブロック図である。図１６において、図１の優先接続装置と同一部分には同一符号を付し、その説明を省略する。
【０１１５】
この実施の形態の携帯電話機４には、スケジュール管理部４８が備えられ、暦日情報と時刻情報とを参照し、ＵＩ３４から登録されたスケジュール表示や予告アラームの告知情報を出力する。この告知情報は、表示部２６に表示されるとともに、近距離無線通信部１０を通じて近距離無線信号により機器６１〜６Ｎから選択された１又は複数の機器との接続により通知される。
【０１１６】
次に、接続イベントの生起として例えば、スケジュール予告の生起による接続処理について、図１７を参照して説明する。図１７は、スケジュール予告の生起による接続処理を示すフローチャートである。
【０１１７】
携帯電話機４では、待機状態において、スケジュール表示や予定告知が生起したか否かを監視している（ステップＳ８１）。スケジュール表示や予定告知の場合には、スケジュール管理部４８からの通知により、プロセッサ８では、データベース１８の検索により、優先付リストの存在を確認する（ステップＳ８２）。優先付リストの登録がなければ、近距離無線通信の受信信号レベルに基づき、接続機器数登録部１８６の接続機器数Ｎに応じた数の機器に接続する（ステップＳ８３）。この処理は、図８に示すフローチャートに記載した通り、機器アドレスの読出し（ステップＳ２１）、近距離無線通信部１０による接続（ステップＳ２２）、受信信号レベルの計測（ステップＳ２３）、接続機器数Ｎの読出し（ステップＳ２７）、受信信号レベルの高い１又は複数の機器に接続（ステップＳ２８）の処理である。
【０１１８】
また、優先付リストがあれば、その優先付リストを検索し、既述した通り、その優先付リストが、任意登録の優先付リストか、位置に依存する優先付リストか、時間に依存する優先付リストかのいずれかを判別し、その優先付リストに応じた接続が行われる（ステップＳ８４）。
【０１１９】
この優先付リストに応じた接続（ステップＳ８４）について、任意登録の優先付リストの場合には、既述のフローチャート（図８）の接続機器数Ｎの読出し（ステップＳ２５）、優先度が高く、受信信号レベルの高い１又は複数の機器に接続（ステップＳ２６）の処理が行われる。
【０１２０】
また、位置に依存する優先付リストの場合には、既述のフローチャート（図１１）の接続機器数Ｎの読出し（ステップＳ４５）、位置毎に、優先度が高く、受信信号レベルの高い１又は複数の機器に接続（ステップＳ４６）の処理が行われる。
【０１２１】
また、時間に依存する優先付リストの場合には、既述のフローチャート（図１３）の接続機器数Ｎの読出し（ステップＳ６５）、時間帯毎に、優先度が高く、受信信号レベルの高い１又は複数の機器に接続（ステップＳ６６）の処理が行われる。
【０１２２】
この接続により、接続された機器には、スケジュール表示や予定告知が行われ、ユーザーは身辺にある機器からその内容を知ることができる。
【０１２３】
〔第４の実施の形態〕
【０１２４】
次に、本発明の第４の実施の形態について、図１８、図１９及び図２０を参照して説明する。図１８〜図２０は、機器間の優先接続装置の第４の実施の形態を示すブロック図であって、図１８は、移動通信部を備える通信機器を用いた場合を示すブロック図、図１９は、固定通信部を備える通信機器を用いた場合を示すブロック図、図２０は、移動通信部を備える通信機器と固定通信部を備える通信機器の双方を用いた場合を示すブロック図である。図１８〜図２０において、図１の優先接続装置と同一部分には同一符号を付してある。
【０１２５】
この第４の実施の形態では、近距離無線通信機能として例えば、Bluetooth 通信機能を備える電子機器からBluetooth 通信機能を備える通信機器を経由させて緊急通報する構成である。その緊急通報を経由させる通信機器の電池残量、受信信号レベル、公衆回線網との連携等、通報を経由させる機器として適正か否かを選択要素としている。この場合、電子機器は携帯電話機、車載機、パーソナルコンピュータ等の情報端末機器、テレビジョン受像機、腕時計、冷蔵庫等の家電機器であってもよい。また、通信機器は携帯電話機、固定電話機等、通信機能を備える機器であればどのようなものでもよい。
【０１２６】
そして、動的優先接続システム２は、図１８に示すように、Bluetooth 通信機能を備える既述の電子機器として携帯電話機４０２と、この携帯電話機４０２から発せられる緊急通報を経由させる複数の通信機器７１１、７１２・・・７１Ｎを備え、各通信機器７１１〜７１Ｎに移動通信部７０２を備えるものを用いて構成し、また、図１９に示すように、各通信機器７２１、７２２・・・７２Ｎに固定通信部７０４を備えるものを用いて構成し、また、図２０に示すように、移動通信部７０２を備える各通信機器７１１〜７１Ｎ、固定通信部７０４を備える通信機器７２１〜７２Ｎの双方を用いて構成してもよい。換言すれば、図１８に示すシステムでは携帯電話機等の通信機器群から緊急発信の経由機として最適な通信機器を選択する例であり、図１９に示すシステムでは固定電話機等の通信機器群から緊急発信の経由機として最適な通信機器を選択する例であり、また、図２０に示すシステムでは移動電話機及び固定電話機を含む通信機器群から緊急発信の経由機として最適な通信機器を選択する例である。ここで、固定通信部７０４は、有線接続又は無線接続による通信機能部である。そして、これら通信機器７１１〜７１Ｎ又は通信機器７２１〜７２Ｎから通信先が選択され、その通信先との緊急発信が行われる構成である。動的優先接続システム２において、通信機器７１１〜７１Ｎは、携帯電話機やＰＨＳ（Personal Handyphone System）等、通信機能を備えた機器であり、通信機器７２１〜７２Ｎは固定電話機や公衆電話機等の据置型の電話機であり、Bluetooth 機能を用いて緊急発信が可能な機器であればよい。
【０１２７】
動的優先接続システム２において、携帯電話機４０２には、プロセッサ４０４、移動通信部４０６、Bluetooth （ＢＴ）通信部４０８、ユーザーインターフェース（ＵＩ）部４１０、データベース４１２、電源管理部４１４、アンテナ４１６、４１８が備えられている。
【０１２８】
この携帯電話機４０２において、プロセッサ４０４は、ＣＰＵ（Central Processing Unit ）、ＲＯＭ（Read-Only Memory）、ＲＡＭ（Random-Access Memory）等を備えるコンピュータで構成されており、緊急通報に最適な機器からの発信を実現するための最適な機器の検出や発信を制御する。
【０１２９】
移動通信部４０６は、移動通信網の検索や、接続や切断等の通信制御や通信を行う。ＢＴ通信部４０８は、通信機器７１１〜７１Ｎや、通信機器７２１〜７２Ｎの検索や、接続や切断等の通信制御や通信を行う。
【０１３０】
また、ＵＩ部４１０は、ユーザーから緊急発信時に経由可能な機器の登録を受け付ける機器登録部４２０や、ユーザーからの緊急発信を受け付ける緊急発信受付部４２２等を備えている。機器登録部４２０には、１又は複数の通信機器を緊急発信時に経由可能な機器として登録するとともに、登録された通信機器７１１〜７１Ｎ、又は通信機器７２１〜７２Ｎ毎に受信した電池残量（固定電話機の場合、電源供給がなく、電池で作動している場合は電池残量、電源供給があれば、電池残量は十分な状態として受信される）や受信信号レベル（固定電話機の場合で、無線通信で公衆網と接続できる場合は、その受信信号レベル、有線通信で公衆網と接続できる場合は例えば、定期的に公衆網と接続できるかを監視したりして、接続できる場合、受信信号レベルを良好として受信される）を登録する。
【０１３１】
データベース４１２は、緊急発信時に経由可能な通信機器のアドレスや、Bluetooth 通信により、通信機器７１１〜７１Ｎ、又は通信機器７２１〜７２Ｎと通信できる場合、各通信機器７１１〜７１Ｎ、又は通信機器７２１〜７２Ｎの電池残量や受信信号レベル等を登録する。
【０１３２】
電源管理部４１４は、携帯電話機４０２に搭載されている電池について、電池残量を管理するとともに、その状態をプロセッサ４０４に通知する。
【０１３３】
図１８及び図２０において、通信機器７１１〜７１Ｎには、プロセッサ７０５、ＢＴ通信部７０６、移動通信部７０２、電源管理部７０８、アンテナ７３０、７３２が備えられている。制御部としてのプロセッサ７０５は、ＣＰＵ、ＲＯＭ、ＲＡＭ等を備えるコンピュータで構成されており、ＢＴ通信部７０６、移動通信部７０２等の制御を行う。携帯電話機４０２のプロセッサ４０４は、１又は複数の通信機器７１１〜７１Ｎに定期的に通信を確立させて一時的に自動接続するか、接続待状態から自動接続することにより、又は接続中であれば、その接続により、それらの通信機器に電池残量と受信信号レベルを打診してその結果を受信し、また、緊急発信時には、携帯電話機４０２の電池残量が少ない場合や受信信号レベルが低い場合、その情報から、電池残量が多く、受信信号レベルが高い通信機器７１１〜７１Ｎに自動で接続し、その通信機器を経由先に用いて緊急発信する。
【０１３４】
また、図１９及び図２０において、通信機器７２１〜７２Ｎには、プロセッサ７０５、ＢＴ通信部７０６、固定通信部７０４、電源管理部７０８、アンテナ７３０、７３２が備えられている。制御部としてのプロセッサ７０５は、ＣＰＵ、ＲＯＭ、ＲＡＭ等を備えるコンピュータで構成されており、ＢＴ通信部７０６、固定通信部７０４等の制御を行う。携帯電話機４０２のプロセッサ４０４は、１又は複数の通信機器７２１〜７２Ｎに定期的に通信を確立させて一時的に自動接続するか、接続待状態から自動接続することにより、又は接続中であれば、その接続により、それらの通信機器に、電池残量や受信信号レベルを打診し、その結果を受信し、緊急発信時には、携帯電話機４０２の電池残量が少ない場合や受信信号レベルが低い場合、その結果から、電池残量が多く、受信信号レベルが高い通信機器７２１〜７２Ｎに自動接続し、その通信機器を経由先に用いて緊急発信する。
【０１３５】
携帯電話機４０２と各通信機器７１１〜７１Ｎ、７２１〜７２Ｎとの通信を定期的に行い、一時的な接続をすることにより、例えば、ハンズフリープロファイルで接続することにより、各通信機器７１１〜７１Ｎ、７２１〜７２Ｎの電池残量レベルや受信信号レベルを打診し、その検知結果を得ることができる。そして、プロセッサ４０４経由でデータベース４１２に通信機器７１１〜７１Ｎ、７２１〜７２Ｎ毎の電池残量レベルや受信信号レベルを定期的に保存する。このような定期的な通信において、通信できない通信機器は無視する。
【０１３６】
ユーザーが緊急呼を発信すると、ＵＩ部４１０の緊急発信受付部４２２からプロセッサ４０４にその発信が通知される。プロセッサ４０４は、自機である携帯電話機４０２の電池残量レベルや受信信号レベルを電源管理部４１４や移動通信部４０６に打診し、それぞれ良好な状態であれば、携帯電話機４０２から緊急通報の発信を行う。
【０１３７】
この場合、携帯電話機４０２の電池残量レベルや受信信号レベルが低い状態であれば、データベース４１２に周囲の通信機器７１１〜７１Ｎ、７２１〜７２Ｎの電池残量レベルや受信信号レベルを問い合わせ、電池残量レベルが不足していない通信機器の中で、受信信号レベルが一番良好な通信機器を選出し、その通信機器への接続をＢＴ通信部４０８に指示することにより、その接続後、その通信機器を経由させて緊急発信を行う。
【０１３８】
選出した通信機器が何らかの理由で接続できない場合には、受信信号レベルが高い通信機器を選出し、その通信機器に接続して緊急発信を行う。また、その通信機器が接続できない場合には、次に受信信号レベルが高い通信機器を選出して接続を試み、接続できれば、その通信機器を経由させて緊急発信を行うことができる。
【０１３９】
この実施の形態では、Bluetooth 通信機能を有する電子機器として携帯電話機４０２を例示したが、Bluetooth 通信機能を有する電子機器には、車載機、パソコン等の情報端末機器、テレビジョン受像機、腕時計、冷蔵庫等の家電機器であってもよい。
【０１４０】
〔第５の実施の形態〕
【０１４１】
次に、本発明の第５の実施の形態について、図２１、図２２及び図２３を参照して説明する。図２１〜図２３は、機器間の優先接続装置の第５の実施の形態を示すブロック図であって、図２１は、移動通信部を備える通信機器を用いた場合を示すブロック図、図２２は、固定通信部を備える通信機器を用いた場合を示すブロック図、図２３は、移動通信部を備える通信機器と固定通信部を備える通信機器の双方を用いた場合を示すブロック図である。図２１〜図２３において、図１８〜図２０の優先接続装置と同一部分には同一符号を付し、その説明を省略する。
【０１４２】
この実施の形態の携帯電話機等の電子機器７４０及び通信機器７５１〜７５Ｎ、７６１〜７６Ｎでは電源管理部４１４、７０８を設置していないが、通信機器７５１、７６１には位置情報付与部７３４が設置されている。この位置情報付与部７３４は、通信機器７５１、７６１の位置を測定できる機能を備え、その位置情報をプロセッサ７０５に付与する。位置情報付与部７３４は、既述のＧＰＳ等の位置情報の取得を行う機能部である。斯かる位置情報はプロセッサ７０５からＢＴ通信部７０６を経て電子機器７４０のＢＴ通信部４０８に通知され、データベース４１２に登録されている通信機器７５１〜７５Ｎ、７６１〜７６Ｎ毎に位置情報測定機能の有無が登録される。
【０１４３】
このような位置測定できる機能の有無をデータベース４１２に登録すれば、緊急通信の経由先の判断項目にし、優先的に経由先に選定することが可能である。
【０１４４】
なお、このような位置情報付与機能を持つ通信機器７５１、７６１について、これらを経由先に選出するか否か、又は、優先経由先とするか、非優先経由先とするかの指定判断項目をオンデマンドで指定できる構成としてもよい。
【０１４５】
〔第６の実施の形態〕
【０１４６】
次に、本発明の第６の実施の形態について、図２４、図２５及び図２６を参照して説明する。図２４〜図２６は、機器間の優先接続装置の第６の実施の形態を示すブロック図であって、図２４は、移動通信部を備える通信機器を用いた場合を示すブロック図、図２５は、固定通信部を備える通信機器を用いた場合を示すブロック図、図２６は、移動通信部備える通信機器と固定通信部を備える通信機器の双方を用いた場合を示すブロック図である。図２４〜図２６において、図１８〜図２０の優先接続装置と同一部分には同一符号を付し、その説明を省略する。
【０１４７】
この実施の形態の電子機器７４２には電源管理部４１４が備えられており、また、通信機器７７１、７８１には電源管理部７０８及び位置情報付与部７３４が設置されている。電源管理部７０８の機能は既述の通りであり、また、位置情報付与部７３４の機能も既述の通りである。
【０１４８】
このような電池残量レベルや位置測定機能の有無をデータベース４１２に登録すれば、これらを判断項目に用いて経由先を選定することができる。
【実施例】
【０１４９】
〔第１の実施例〕
【０１５０】
本発明の機器間の優先接続装置による第１の実施例について、図２７を参照して説明する。図２７は、携帯電話機４と機器６１〜６５の接続関係を示す図である。
【０１５１】
この実施例では、機器６１は、ハンズフリー機能を持つナビゲーション装置６１０であって、自動車等に搭載される。機器６２はテレビジョン受像機（ＴＶ）６２０、機器６３は冷蔵庫６３０、機器６４は腕時計６４０、機器６５はノートパーソナルコンピュータ（ＰＣ）６５０であり、これらが接続先として想定されている。
【０１５２】
これら登録されている各機器６１〜６５に携帯電話機４からの着信通知を表示する場合について、(1) 〜(4) の各場合について説明する。
【０１５３】
(1) 優先付リストが登録されていない場合
【０１５４】
データベース１８の機器登録部１８２にはナビゲーション装置６１０、ＴＶ６２０、冷蔵庫６３０の機器アドレスが登録されている場合であって、優先付リストが存在しない場合には、近距離無線通信の受信信号レベルに基づいて順位付けが行われ、接続が確立する。即ち、図８のステップＳ２１〜Ｓ２４、ステップＳ２７、Ｓ２８による接続が行われる。
【０１５５】
例えば、居間に設置されたＴＶ６２０の画面７２上に着信情報７４が表示され、キッチンでは冷蔵庫６３０のディスプレイ７６に着信情報７８が表示され、自動車走行中のナビゲーション装置６１０の画面８０に着信情報８２が表示される。この場合の着信情報７４、７８、８２は例えば、「メール着信」及び「発信者名・・・・」等である。
【０１５６】
(2) 任意登録の優先付リストが登録されている場合
【０１５７】
この場合、データベース１８の優先付リスト登録部１８４には、第１優先としてＴＶ６２０、第２優先として腕時計６４０及びナビゲーション装置６１０が登録されている。
【０１５８】
そこで、着信があった場合には、第１優先の接続先としてＴＶ６２０に着信情報７４、第２優先の接続先として腕時計６４０のディスプレイ８４に着信情報８６、ナビゲーション装置６１０に着信情報８２が表示される。即ち、居間やキッチンでＴＶ６２０に着信情報７４が表示され、自動車走行中のナビゲーション装置６１０の表示部８０に着信情報８２が表示され、屋外では、腕時計６４０に着信情報８６が表示される。
【０１５９】
(3) 位置毎の優先付リストが登録されている場合
【０１６０】
この場合、データベース１８の優先付リスト登録部１８４には、自宅の場合には、第１優先としてノートＰＣ６５０及び腕時計６４０が登録され、自宅以外の場合には、第１優先として腕時計６４０、第２優先としてノートＰＣ６５０が登録されている。
【０１６１】
このような位置毎の優先付リストの登録情報を参照し、自宅ではノートＰＣ６５０の表示部８７に着信情報８８が表示され、自宅以外では、腕時計６４０に着信情報８６が表示される。
【０１６２】
(4) 時間毎の優先付リストが登録されている場合
【０１６３】
この場合、データベース１８の優先付リスト登録部１８４には、7:00〜24:00 の時間帯では、第１優先として腕時計６４０、第２優先としてノートＰＣ６５０が登録され、24:00 〜7:00の時間帯には登録はない。
【０１６４】
このような時間毎の優先付リストの登録情報を参照し、7:00〜24:00 では、腕時計６４０に着信情報８６、ノートＰＣ６５０に着信情報８８が表示され、24:00 〜7:00では、携帯電話機４の表示部２６のみに着信情報８９が表示される。
【０１６５】
〔第２の実施例〕
【０１６６】
本発明の機器間の優先接続装置による第２の実施例について、図２８を参照して説明する。図２８は、携帯電話機４と機器６１〜６５の接続関係を示す図である。図２８において、図２７と同一部分には同一符号を付してある。
【０１６７】
登録されている各機器６１〜６５に携帯電話機４からのスケジュール予告を表す予告情報を表示する場合について、(5) 〜(8) の各場合について説明する。
【０１６８】
(5) 優先付リストが登録されていない場合
【０１６９】
データベース１８の機器登録部１８２にはナビゲーション装置６１０、ＴＶ６２０、冷蔵庫６３０の機器アドレスが登録されている場合であって、優先付リストが存在しない場合には、近距離無線通信の受信信号レベルに基づいて順位付けが行われ、接続が確立する。即ち、図８のステップＳ２１〜Ｓ２４、ステップＳ２７、Ｓ２８による接続が行われる。
【０１７０】
例えば、居間に設置されたＴＶ６２０の画面７２上に予告情報９０が表示され、キッチンでは冷蔵庫６３０のディスプレイ７６に予告情報９２が表示され、自動車走行中のナビゲーション装置６１０の画面８０に予告情報９４が表示される。これら予告情報９０、９２、９４は例えば、「１４時、商店街セール、１５分前」等である。
【０１７１】
(6) 任意登録の優先付リストが登録されている場合
【０１７２】
この場合、データベース１８の優先付リスト登録部１８４には、第１優先としてＴＶ６２０、第２優先として腕時計６４０及びナビゲーション装置６１０が登録されている。
【０１７３】
そこで、スケジュール予告を表示する場合には、第１優先の接続先としてＴＶ６２０に予告情報９０、第２優先の接続先として腕時計６４０に予告情報９６、ナビゲーション装置６１０に予告情報９４が表示される。即ち、居間やキッチンでＴＶ６２０に予告情報９０が表示され、自動車走行中のナビゲーション装置６１０に予告情報９４が表示され、屋外では、腕時計６４０に予告情報９６が表示される。この場合の予告情報９０、９４、９６は例えば、「１９時、サークルの時間、今１５分前」等である。
【０１７４】
(7) 位置毎の優先付リストが登録されている場合
【０１７５】
この場合、データベース１８の優先付リスト登録部１８４には、自宅の場合には、第１優先としてノートＰＣ６５０及び腕時計６４０が登録され、自宅以外の場合には、第１優先として腕時計６４０、第２優先としてノートＰＣ６５０が登録されている。
【０１７６】
このような位置毎の優先付リストの登録情報を参照し、自宅ではノートＰＣ６５０に予告情報１００が表示され、自宅以外では、腕時計６４０に予告情報９６が表示される。この場合、腕時計６４０やノートＰＣ６５０に予告情報９６、１００が表示されないのは、受信信号レベルによる。この場合の予告情報９６、１００は例えば、「１２時、チケット販売開始、今１５分前」等である。
【０１７７】
(8) 時間毎の優先付リストが登録されている場合
【０１７８】
この場合、データベース１８の優先付リスト登録部１８４には、7:00〜24:00 の時間帯では、第１優先として腕時計６４０、第２優先としてノートＰＣ６５０が登録され、24:00 〜7:00の時間帯には登録はない。
【０１７９】
このような時間毎の優先付リストの登録情報を参照し、7:00〜24:00 では、腕時計６４０及びノートＰＣ６５０に予告情報９６、１００が表示され、24:00 〜7:00では、携帯電話機４のみに予告情報１０２が表示される。この場合の予告情報９６、１００は例えば、「１４時、会合、今１５分前」等である。携帯電話機４の予告情報１０２は例えば、「７時起床、今１５分前」である。
【０１８０】
〔第３の実施例〕
【０１８１】
次に、本発明の機器間の優先接続装置による第３の実施例について、図２９を参照して説明する。図２９は、携帯電話機４と機器６４、６５の接続関係を示す図である。図２９において、図２７と同一部分には同一符号を付してある。
【０１８２】
この実施例は、接続された機器６４、６５側から携帯電話機４の設定モードの変更等の制御をする場合である。
【０１８３】
この場合、データベース１８の優先付リスト登録部１８４に位置毎の優先付リストが登録されている。この場合の動的な自動接続について、例えば、職場では、第１優先としてノートＰＣ６５０及び腕時計６４０が登録され、職場以外では、第１優先として腕時計６４０、第２優先としてノートＰＣ６５０が登録されている。
【０１８４】
このような優先付接続により、職場ではノートＰＣ６５０から携帯電話機４の例えば、マナーモードの設定又はその解除を可能にし、職場以外では、腕時計６４０から携帯電話機４の例えば、マナーモードの設定又はその解除を可能にしている。画像１０４、１０６には、制御内容である「マナーモード設定解除」が表示されている。
【０１８５】
〔第４の実施例〕
【０１８６】
次に、本発明の機器間の優先接続装置による第４の実施例について、図３０を参照して説明する。図３０は、携帯電話機４と機器６４、６５の接続関係を示す図である。図３０において、図２７と同一部分には同一符号を付してある。
【０１８７】
この実施例は、機器６４、６５側から携帯電話機４に定型文メールを送信させる場合である。
【０１８８】
この場合、データベース１８の優先付リスト登録部１８４に位置毎の優先付リストが登録されている。この場合の動的な自動接続について、例えば、職場では、第１優先としてノートＰＣ６５０及び腕時計６４０が登録され、職場以外では、第１優先として腕時計６４０、第２優先としてノートＰＣ６５０が登録されている。
【０１８９】
このような優先付接続により、職場ではノートＰＣ６５０から携帯電話機４に定型文のメールを送信し、職場以外では、腕時計６４０から携帯電話機４に定型文メールを送信する。この場合、画像１０８、１１０には、定型文メールの定型文の一例である、「今から帰ります」が表示されている。
【０１９０】
〔第５の実施例〕
【０１９１】
次に、本発明の機器間の優先接続装置による第５の実施例について、図３１を参照して説明する。図３１は、携帯電話機４と接続される機器として例えば、携帯電話機７９１、７９２、７９３の接続関係を示す図である。図３１において、図２７と同一部分には同一符号を付してある。
【０１９２】
この実施例では、携帯電話機４から電話を携帯電話機７９１、７９２、７９３に発信させる場合である。
【０１９３】
この場合、データベース１８の機器登録部１８２に携帯電話機７９１、７９２、７９３が登録されている場合であって、定期的に携帯電話機４は携帯電話機７９１、７９２、７９３と接続し、その接続により、携帯電話機７９１、７９２、７９３の基地局からの受信信号レベル、それらの携帯電話機７９１、７９２、７９３の電池残量、通話状態が通知されている。
【０１９４】
そこで、携帯電話機４から緊急通報を発する場合において、携帯電話機４が十分な基地局からの受信信号レベルが無く、又は、基地局との通信に必要となる電池残量が無い場合には、通話状態でなく、電池残量が有り、基地局からの受信信号レベルが高い携帯電話機７９１、７９２、７９３のいずれかが選択されて近距離無線通信により携帯電話機４と接続され、緊急通報が発せられる。
【０１９５】
この場合、これら携帯電話機７９１、７９２、７９３について、例えば、携帯電話機７９１では、電池残量：少、受信信号レベル：低、通話状態：無、携帯電話機７９２では、電池残量：有、受信信号レベル：高、通話状態：無、携帯電話機７９３では、電池残量：有、受信信号レベル：低、通話状態：無の場合を想定すると、携帯電話機７９２が選択されることになる。そこで、携帯電話機４からの緊急通報が携帯電話機７９２を経由させて発せられることになる。
【０１９６】
〔第６の実施例〕
【０１９７】
次に、本発明の機器間の優先接続装置による第６の実施例について、図３２及び図３３を参照して説明する。図３２は、携帯電話機４に対する経由先機器の事前登録を示す図、図３３は、携帯電話機４に事前登録された機器との近距離通信を示す図である。図３２及び図３３において、図３１と同一部分には同一符号を付してある。
【０１９８】
(1) 通信機器の事前登録
【０１９９】
携帯電話機４には、事前登録として、近距離無線通信が可能な緊急通報の経由先機器の登録を行う。即ち、携帯電話機４が緊急通報に相応しくない状態例えば、受信信号レベルが低い、電池残量レベルが低い等の場合を想定し、緊急通報の経由先機器として携帯電話機４と近距離無線通信が可能な機器を登録する。図３２において、５９９は登録内容の一覧を示している。この場合、経由先の機器として、携帯電話機４の近傍に位置する携帯電話機等の機器のアドレスを登録する。このアドレスの選択により、近距離無線通信が確立し、緊急通報の経由先として利用できる。
【０２００】
このように登録した機器のみに緊急通報の発信を許容すれば、未登録機器が緊急通報の経由先となることがなく、緊急通報の信頼性が確保される。
【０２０１】
(2) 通常時の通信確認
【０２０２】
携帯電話機４に各種通信機器を登録した場合において、定期的に、周囲に登録したアドレスに合う通信機器があるか否かの確認を近距離無線通信を用いて行う。この近距離無線通信により、登録したアドレスに合う通信機器として例えば、図３３に示すように、携帯電話機７９１、７９２や、その他の通信機器７９４がある場合には、近距離無線通信により、緊急通報の経由先の選定項目に関する情報として電池残量レベル、受信信号レベル、緊急発信時の位置情報付与機能の有無等を打診する。携帯電話機７９１、７９２や、その他の通信機器７９４から情報に変更が生じた場合には、その情報の通知を受け、その変更を、登録された通信機器のアドレス毎に登録し、通信機器を選択する場合に参照する。
【０２０３】
(3) 緊急通報
【０２０４】
事件、事故、災害、遭難等の緊急通報が必要な場合には、携帯電話機４から緊急通報の操作を契機として、情報を記憶した通信機器中の緊急通報に最適な状態例えば、固定通信の機能があるか、受信信号レベルが高く、電池残量レベルが高く、位置測定できて位置を通知できる等を参照して通信機器を選択し、選択した通信機器を通して緊急通報を行えばよい。
【０２０５】
通信中に緊急通報が途切れた場合には、登録されている通信機器について再選択を行い、選択された同一又は他の通信機器に自動接続して再発信する構成とすればよい。
【０２０６】
ところで、登録されている通信機器の自動選択について、判断指標である受信信号レベルや、電池残量レベルや、位置測定通知機能等の各指標に重み付けを行うようにしてもよく、また、この重み付けを事前設定できる構成とすれば、特殊な場合として例えば、耳や目の不自由な人等、自己の位置を通知し難い場合には、位置を通知できることを最優先にし、又は、その他の場合には、電池残量レベル、受信信号レベルの双方が高い場合を第１優先、電池残量レベルが低く、受信信号レベルが高い場合を第２優先、電池残量レベルが高く、受信信号レベルが低い場合を第３優先とする等、優先設定の指標をカスタマイズできるように構成してもよい。この場合、緊急事態の通知であれば、電池残量はある程度あればいいという設定や、緊急事態の通知を口頭で行う場合、ある程度の電池残量レベルが必要である等、個々の状況に応じてカスタマイズする構成としてもよい。
【０２０７】
次に、以上述べた本発明の電子機器、優先接続装置、優先接続方法及び優先接続プログラムの各実施の形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【０２０８】
（付記１）  近距離無線通信機能を備える電子機器であって、
近距離無線通信機能を備える１又は複数の機器と近距離無線信号の送受信をする通信部と、
前記複数の機器に優先度を付与し、該優先度により仕分けされた１又は複数の機器を表す優先付リストを登録する登録部と、
前記優先付リストに基づいて、１又は複数の機器を動的に選択し、選択された１又は複数の機器と前記通信部を通じて接続制御させる制御部と、
を含むことを特徴とする電子機器。
【０２０９】
（付記２）  付記１に記載の電子機器において、
前記制御部は、前記登録部に登録された機器から、接続することで得られる近距離無線信号の受信信号レベルにより、接続先の機器を選択し、選択された１又は複数の機器と前記通信部を通じて自動接続させる構成としたことを特徴とする電子機器。
【０２１０】
（付記３）  付記１に記載の電子機器において、
前記登録部に登録される前記機器が携帯電話機の場合、前記制御部は、基地局との通信接続により得られる受信信号レベルに応じて、前記電子機器から接続先として１又は複数の携帯電話機を選択し、該携帯電話機に前記通信部を通じて自動接続させる構成としたことを特徴とする電子機器。
【０２１１】
（付記４）  付記１に記載の電子機器において、
前記登録部に登録される前記機器が携帯電話機の場合、前記制御部は、電池残量に応じて、前記電子機器から接続先として１又は複数の携帯電話機を選択し、該携帯電話機に前記通信部を通じて自動接続させる構成としたことを特徴とする電子機器。
【０２１２】
（付記５）  付記１に記載の電子機器において、
前記登録部に登録される前記機器が携帯電話機の場合、前記制御部は、通話状態に応じて、前記電子機器から接続先として１又は複数の携帯電話機を選択し、該携帯電話機に前記通信部を通じて自動接続させる構成としたことを特徴とする電子機器。
【０２１３】
（付記６）  付記１に記載の電子機器において、
前記登録部に同時に接続する機器数を登録し、該機器数に応じた数の機器と同時に接続する構成としたことを特徴とする電子機器。
【０２１４】
（付記７）  付記１に記載の電子機器において、
前記優先付リストに、前記電子機器の移動先である１又は複数の位置情報とともに、各位置情報毎に優先度が付与された１又は複数の機器を登録し、該優先付リストから検索された１又は複数の機器を選択し、選択された１又は複数の機器に前記通信部を通じて自動接続させる構成としたことを特徴とする電子機器。
【０２１５】
（付記８）  付記１に記載の電子機器において、
前記優先付リストに、１又は複数の時間情報とともに、各時間情報毎に優先度が付与された１又は複数の機器を登録し、該優先付リストから検索された１又は複数の機器を選択し、選択された１又は複数の機器に前記通信部を通じて自動接続させる構成としたことを特徴とする電子機器。
【０２１６】
（付記９）  付記１に記載の電子機器において、
前記電子機器又は前記機器は、携帯電話機、パーソナルコンピュータ等の情報端末機器、テレビジョン受像機等の家電機器、自動車等の移動機器、時計、ナビゲーション装置であることを特徴とする電子機器。
【０２１７】
（付記１０）  近距離無線通信機能を備える電子機器であって、
近距離無線通信機能を備える１又は複数の通信機器と近距離無線通信信号により通信する通信部と、
緊急発信時に経由可能な機器として前記１又は複数の通信機器を登録するとともに、前記１又は複数の通信機器との通信により、前記通信機器からの電池残量又は通信状態又は基地局からの受信信号レベル又は前記近距離無線通信信号の受信信号レベルのいずれか一つ又は幾つかを、前記通信機器毎に登録する登録部と、
緊急発信時、前記電池残量が多く、通話状態でなく、基地局からの受信信号レベルが高く、前記近距離無線通信信号の受信信号レベルが高い通信機器に接続して、該通信機器を経由させて緊急発信させる制御部と、
を含むことを特徴とする電子機器。
【０２１８】
（付記１１）付記１０に記載の電子機器において、
前記通信機器は、固定通信の機能を持つ機器を含み、前記登録部には、固定通信の機能の有無を前記通信機器毎に登録することを特徴とする電子機器。
【０２１９】
（付記１２）  付記１０に記載の電子機器において、
前記通信機器は、位置測定機能を持つ機器を含み、前記制御部は、該位置測定機能を備えるか否かを緊急経由先の選択判断要素にすることを特徴とする電子機器。
【０２２０】
（付記１３）  付記１０に記載の電子機器において、
前記通信機器は、前記電池残量、前記受信信号レベル又は位置測定機能を持つ機器を含み、前記制御部は、前記電池残量、前記受信信号レベル又は位置測定機能を緊急経由先の選択判断要素にすることを特徴とする電子機器。
【０２２１】
（付記１４）  付記１０に記載の電子機器において、
前記通信機器は、前記電池残量、前記受信信号レベル又は位置測定機能を持つ機器を含み、前記制御部は、前記電池残量、前記受信信号レベル又は位置測定機能を緊急経由先の優先順位付けに用いるとともに、優先順位付けを任意に設定可能にしたことを特徴とする電子機器。
【０２２２】
（付記１５）  近距離無線通信機能を備える携帯電話機であって、
近距離無線通信機能を備える１又は複数の通信機器と近距離無線通信信号により通信する通信部と、
緊急発信時に経由可能な機器として前記１又は複数の通信機器を登録するとともに、前記１又は複数の通信機器との通信により、前記通信機器からの電池残量又は通信状態又は基地局からの受信信号レベル又は前記近距離無線通信信号の受信信号レベルのいずれか一つ又は幾つかを、前記通信機器毎に登録する登録部と、
緊急発信時、前記電池残量が多く、通話状態でなく、基地局からの受信信号レベルが高く、前記近距離無線通信信号の受信信号レベルが高い通信機器に接続して、該通信機器を経由させて緊急発信させる制御部と、
を含むことを特徴とする携帯電話機。
【０２２３】
（付記１６）  付記１５に記載の携帯電話機において、
前記通信機器は、固定通信の機能を持つ機器を含み、前記登録部には、固定通信の機能の有無を前記通信機器毎に登録することを特徴とする携帯電話機。
【０２２４】
（付記１７）  付記１５に記載の携帯電話機において、
前記通信機器は、位置測定機能を持つ機器を含み、前記制御部は、該位置測定機能を備えるか否かを緊急経由先の選択判断要素にすることを特徴とする携帯電話機。
【０２２５】
（付記１８）  付記１５に記載の携帯電話機において、
前記通信機器は、前記電池残量、前記受信信号レベル又は位置測定機能を持つ機器を含み、前記制御部は、前記電池残量、前記受信信号レベル又は位置測定機能を緊急経由先の選択判断要素にすることを特徴とする携帯電話機。
【０２２６】
（付記１９）  付記１５に記載の携帯電話機において、
前記通信機器は、前記電池残量、前記受信信号レベル又は位置測定機能を持つ機器を含み、前記制御部は、前記電池残量、前記受信信号レベル又は位置測定機能を緊急経由先の優先順位付けに用いるとともに、優先順位付けを任意に設定可能にしたことを特徴とする携帯電話機。
【０２２７】
（付記２０）  近距離無線通信により接続する機能を持つ電子機器と前記近距離無線通信により接続される機器であって、
前記電子機器と近距離無線信号の送受信をする通信部と、
前記通信部が受信した前記電子機器からの通知情報を通知する通知部と、
を含むことを特徴とする機器。
【０２２８】
斯かる構成とすれば、電子機器と接続される機器側に電子機器からの通知情報を通知することにより、電子機器が持つ情報を接続先で知ることができる。
【０２２９】
（付記２１）  付記２０に記載の機器において、
前記電子機器に対し、前記通信部を通して前記電子機器の制御情報を送信する構成したことを特徴とする機器。
【０２３０】
（付記２２）  近距離無線通信機能を備える電子機器と機器とを無線通信により接続する優先接続装置であって、
前記電子機器が、近距離無線通信機能を備える１又は複数の機器と近距離無線信号の送受信をする通信部と、
前記複数の機器に優先度を付与し、該優先度により仕分けされた１又は複数の機器を表す優先付リストを登録する登録部と、
前記優先付リストに基づいて、１又は複数の機器を動的に選択し、選択された１又は複数の機器と前記通信部を通じて接続制御させる制御部と、
を含むことを特徴とする優先接続装置。
【０２３１】
（付記２３）  近距離無線通信機能を備える電子機器と機器とを無線通信により接続する優先接続装置であって、
前記機器が、前記電子機器と近距離無線信号の送受信をする通信部と、
前記通信部が受信した前記電子機器からの通知情報を通知する通知部と、
を備えることを特徴とする優先接続装置。
【０２３２】
（付記２４）  近距離無線通信機能を備える電子機器と他の機器とを接続する優先接続方法であって、
近距離無線通信機能を備える１又は複数の機器と近距離無線信号の送受信をする処理と、
前記複数の機器に優先度を付与し、該優先度により仕分けされた１又は複数の機器を表す優先付リストを登録部に登録する処理と、
前記優先付リストに基づいて、１又は複数の機器を動的に選択し、選択された１又は複数の機器を近距離無線通信により接続制御させる処理と、
を含むことを特徴とする優先接続方法。
【０２３３】
（付記２５）  付記２４に記載の優先接続方法において、
前記登録部に登録された機器から、接続することで得られる近距離無線信号の受信信号レベルにより、接続先の機器を選択し、選択された１又は複数の機器を近距離無線通信により自動接続させる処理を含むことを特徴とする優先接続方法。
【０２３４】
（付記２６）  付記２４に記載の優先接続方法において、
前記登録部に同時に接続する機器数を登録する処理と、
前記機器数に応じた数の機器と同時に接続する処理と、
を含むことを特徴とする優先接続方法。
【０２３５】
（付記２７）  付記２４に記載の優先接続方法において、
前記優先付リストに、前記電子機器の移動先である１又は複数の位置情報とともに、各位置情報毎に優先度が付与された１又は複数の機器を登録する処理と、
前記優先付リストに基づいて、１又は複数の機器を動的に選択し、選択された１又は複数の機器を近距離無線通信により接続制御させる処理と、
を含むことを特徴とする優先接続方法。
【０２３６】
（付記２８）  付記２４に記載の優先接続方法において、
前記優先付リストに、１又は複数の時間情報とともに、各時間情報毎に優先度が付与された１又は複数の機器を登録する処理と、
前記優先付リストに基づいて、１又は複数の機器を動的に選択し、選択された１又は複数の機器を近距離無線通信により接続制御させる処理と、
を含むことを特徴とする優先接続方法。
【０２３７】
（付記２９）  近距離無線通信機能を備える電子機器の優先接続方法であって、
近距離無線通信機能を備える１又は複数の通信機器と近距離無線通信信号により通信する処理と、
緊急発信時に経由可能な機器として前記１又は複数の通信機器を登録するとともに、前記１又は複数の通信機器との通信により、前記通信機器からの電池残量又は通信状態又は基地局からの受信信号レベル又は前記近距離無線通信信号の受信信号レベルのいずれか一つ又は幾つかを、前記通信機器毎に登録する処理と、
緊急発信時、前記電池残量が多く、通話状態でなく、基地局からの受信信号レベルが高く、前記近距離無線通信信号の受信信号レベルが高い通信機器に接続して、該通信機器を経由させて緊急発信させる処理と、
を含むことを特徴とする電子機器の優先接続方法。
【０２３８】
（付記３０）  近距離無線通信機能を備える携帯電話機の優先接続方法であって、
近距離無線通信機能を備える１又は複数の通信機器と近距離無線通信信号により通信する処理と、
緊急発信時に経由可能な機器として前記１又は複数の通信機器を登録するとともに、前記１又は複数の通信機器との通信により、前記通信機器からの電池残量又は通信状態又は基地局からの受信信号レベル又は前記近距離無線通信信号の受信信号レベルのいずれか一つ又は幾つかを、前記通信機器毎に登録する処理と、
緊急発信時、前記電池残量が多く、通話状態でなく、基地局からの受信信号レベルが高く、前記近距離無線通信信号の受信信号レベルが高い通信機器に接続して、該通信機器を経由させて緊急発信させる処理と、
を含むことを特徴とする携帯電話機の優先接続方法。
【０２３９】
（付記３１）  近距離無線通信機能を備える電子機器と他の機器とを接続するため、コンピュータにより実行される優先接続プログラムであって、
近距離無線通信機能を備える１又は複数の機器と近距離無線信号の送受信をするステップと、
前記複数の機器に優先度を付与し、該優先度により仕分けされた１又は複数の機器を表す優先付リストを登録部に登録するステップと、
前記優先付リストに基づいて、１又は複数の機器を動的に選択し、選択された１又は複数の機器を近距離無線通信により接続制御させるステップと、
を含むことを特徴とする優先接続プログラム。
【０２４０】
（付記３２）  付記３１に記載の優先接続プログラムにおいて、
前記登録部に登録された機器から、接続することで得られる近距離無線信号の受信信号レベルにより、接続先の機器を選択し、選択された１又は複数の機器を近距離無線通信により自動接続させるステップを含むことを特徴とする優先接続プログラム。
【０２４１】
（付記３３）  付記３１に記載の優先接続プログラムにおいて、
前記登録部に同時に接続する機器数を登録するステップと、
前記機器数に応じた数の機器と同時に接続するステップと、
を含むことを特徴とする優先接続プログラム。
【０２４２】
（付記３４）  付記３１に記載の優先接続プログラムにおいて、
前記優先付リストに、前記電子機器の移動先である１又は複数の位置情報とともに、各位置情報毎に優先度が付与された１又は複数の機器を登録するステップと、
前記優先付リストに基づいて、１又は複数の機器を動的に選択し、選択された１又は複数の機器を近距離無線通信により接続制御させるステップと、
を含むことを特徴とする優先接続プログラム。
【０２４３】
（付記３５）  付記３１に記載の優先接続プログラムにおいて、
前記優先付リストに、１又は複数の時間情報とともに、各時間情報毎に優先度が付与された１又は複数の機器を登録するステップと、
前記優先付リストに基づいて、１又は複数の機器を動的に選択し、選択された１又は複数の機器を近距離無線通信により接続制御させるステップと、
を含むことを特徴とする優先接続プログラム。
【０２４４】
（付記３６）  コンピュータにより実行される、近距離無線通信機能を備える電子機器の優先接続プログラムであって、
近距離無線通信機能を備える１又は複数の通信機器と近距離無線通信信号により通信するステップと、
緊急発信時に経由可能な機器として前記１又は複数の通信機器を登録するとともに、前記１又は複数の通信機器との通信により、前記通信機器からの電池残量又は通信状態又は基地局からの受信信号レベル又は前記近距離無線通信信号の受信信号レベルのいずれか一つ又は幾つかを、前記通信機器毎に登録するステップと、
緊急発信時、前記電池残量が多く、通話状態でなく、基地局からの受信信号レベルが高く、前記近距離無線通信信号の受信信号レベルが高い通信機器に接続して、該通信機器を経由させて緊急発信させるステップと、
を含むことを特徴とする電子機器の優先接続プログラム。
【０２４５】
（付記３７）  コンピュータにより実行される、近距離無線通信機能を備える携帯電話機の優先接続プログラムであって、
近距離無線通信機能を備える１又は複数の通信機器と近距離無線通信信号により通信するステップと、
緊急発信時に経由可能な機器として前記１又は複数の通信機器を登録するとともに、前記１又は複数の通信機器との通信により、前記通信機器からの電池残量又は通信状態又は基地局からの受信信号レベル又は前記近距離無線通信信号の受信信号レベルのいずれか一つ又は幾つかを、前記通信機器毎に登録するステップと、
緊急発信時、前記電池残量が多く、通話状態でなく、基地局からの受信信号レベルが高く、前記近距離無線通信信号の受信信号レベルが高い通信機器に接続して、該通信機器を経由させて緊急発信させるステップと、
を含むことを特徴とする携帯電話機の優先接続プログラム。
【０２４６】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【０２４７】
本発明は、近距離無線通信機能を持つ携帯電話機等の電子機器と他の機器との機器間接続に関し、接続先の機器に優先性を持たせるとともに、近距離無線通信の受信信号レベルによる選択性を持たせたことにより、最も利用性が高く、受信信号レベルの高い１又は複数の機器との接続を確立し、各機器の持つ機能を活用でき、有用である。
【図面の簡単な説明】
【０２４８】
【図１】第１の実施の形態に係る動的優先接続システムを示すブロック図である。
【図２】携帯電話機の構成例を示す図である。
【図３】データベースの優先付リストの構成例を示す図である。
【図４】データベースの接続機器数の登録例を示す図である。
【図５】データベースの位置毎の優先付リストの構成例を示す図である。
【図６】データベースの時間帯毎の優先付リストの構成例を示す図である。
【図７】第１の機器登録処理を示すフローチャートである。
【図８】第１の接続処理を示すフローチャートである。
【図９】第２の接続処理を示すフローチャートである。
【図１０】第２の機器登録処理を示すフローチャートである。
【図１１】第３の接続処理を示すフローチャートである。
【図１２】第３の機器登録処理を示すフローチャートである。
【図１３】第４の接続処理を示すフローチャートである。
【図１４】接続処理を示すフローチャートである。
【図１５】第２の実施の形態に係る動的優先接続システムを示すブロック図である。
【図１６】第３の実施の形態に係る動的優先接続システムを示すブロック図である。
【図１７】接続処理を示すフローチャートである。
【図１８】第４の実施の形態に係る動的優先接続システムを示す図である。
【図１９】動的優先接続システムを示す図である。
【図２０】動的優先接続システムを示す図である。
【図２１】第５の実施の形態に係る動的優先接続システムを示す図である。
【図２２】動的優先接続システムを示す図である。
【図２３】動的優先接続システムを示す図である。
【図２４】第６の実施の形態に係る動的優先接続システムを示す図である。
【図２５】動的優先接続システムを示す図である。
【図２６】動的優先接続システムを示す図である。
【図２７】第１の実施例である機器間の接続関係を示す図である。
【図２８】第２の実施例である機器間の接続関係を示す図である。
【図２９】第３の実施例である機器間の接続関係を示す図である。
【図３０】第４の実施例である機器間の接続関係を示す図である。
【図３１】第５の実施例である機器間の接続関係を示す図である。
【図３２】第６の実施例である経由先機器の事前登録を示す図である。
【図３３】機器間の通信接続関係を示す図である。
【符号の説明】
【０２４９】
２  動的優先接続システム（優先接続装置）
４  携帯電話機（電子機器）
６１、６２、６３・・・６Ｎ  機器
８  プロセッサ（制御部）
１０  近距離無線通信部
１２  機器登録受付部
１４  優先付リスト受付部
１６  接続機器数受付部
１８  データベース（登録部）
１８２  機器登録部
１８４  優先付リスト登録部
１８６  接続機器数登録部
６１２、６２２、６３２・・・６Ｎ２  近距離無線通信部
６１４、６２４、６３４・・・６Ｎ４  通知部
【図１】
2006319946.tif 000009
【図２】
2006319946.tif 000010
【図３】
2006319946.tif 000011
【図４】
2006319946.tif 000012
【図５】
2006319946.tif 000013
【図６】
2006319946.tif 000014
【図７】
2006319946.tif 000015
【図８】
2006319946.tif 000016
【図９】
2006319946.tif 000017
【図１０】
2006319946.tif 000018
【図１１】
2006319946.tif 000019
【図１２】
2006319946.tif 000020
【図１３】
2006319946.tif 000021
【図１４】
2006319946.tif 000022
【図１５】
2006319946.tif 000023
【図１６】
2006319946.tif 000024
【図１７】
2006319946.tif 000025
【図１８】
2006319946.tif 000026
【図１９】
2006319946.tif 000027
【図２０】
2006319946.tif 000028
【図２１】
2006319946.tif 000029
【図２２】
2006319946.tif 000030
【図２３】
2006319946.tif 000031
【図２４】
2006319946.tif 000032
【図２５】
2006319946.tif 000033
【図２６】
2006319946.tif 000034
【図２７】
2006319946.tif 000035
【図２８】
2006319946.tif 000036
【図２９】
2006319946.tif 000037
【図３０】
2006319946.tif 000038
【図３１】
2006319946.tif 000039
【図３２】
2006319946.tif 000040
【図３３】
2006319946.tif 000041